(57)【特許請求の範囲】
【請求項１】
通信の方法であって、
サービングアクセスネットワーク装置により、ノード追加要求メッセージを目標ネットワーク装置へ送信するステップであって、前記ノード追加要求メッセージは、端末装置にサービスしているネットワークスライスの識別情報を含む、ステップと、
前記サービングアクセスネットワーク装置により、前記目標ネットワーク装置から追加要求肯定応答メッセージを受信するステップと、
を含み、
前記ノード追加要求メッセージは、セッションレベルセキュリティ情報を更に含む、方法。
【請求項２】
前記ネットワークスライスの前記識別情報は、ネットワークスライス種別を含む、請求項１に記載の方法。
【請求項３】
前記方法は、
前記サービングアクセスネットワーク装置により、前記端末装置へＲＲＣ接続再構成メッセージを送信するステップであって、前記ＲＲＣ接続再構成メッセージは無線リソース構成情報を含む、ステップと、
前記サービングアクセスネットワーク装置により、前記端末装置からＲＲＣ接続再構成完了メッセージを受信するステップと、
サービングアクセスネットワーク装置により、前記目標ネットワーク装置へ、前記端末装置が無線リソース構成を完了したことを示すために使用されるメッセージを送信するステップと、
を更に含む請求項１又は２に記載の方法。
【請求項４】
前記ノード追加要求メッセージは、暗号化機能有効化オプションを更に含む、請求項１乃至３のいずれか一項に記載の方法。
【請求項５】
前記ノード追加要求メッセージは、完全性保護有効化オプションを更に含む、請求項１乃至４のいずれか一項に記載の方法。
【請求項６】
前記追加要求肯定応答メッセージは、許可される及び前記端末装置により選択されたネットワークスライスに対応するセッションリストを更に含む、請求項１乃至５のいずれか一項に記載の方法。
【請求項７】
前記追加要求肯定応答メッセージは、許可されないフローリストを更に含む、請求項１乃至６のいずれか一項に記載の方法。
【請求項８】
前記ノード追加要求メッセージは、確立される必要のある且つ前記端末装置により選択された１つ以上の又は全てのネットワークスライスに対応するベアラの情報を更に含む、請求項１乃至７のいずれか一項に記載の方法。
【請求項９】
前記ノード追加要求メッセージはベアラ種別を更に含み、前記ベアラ種別は、２次セルグループ・ベアラ及び分割ベアラを含む、請求項１乃至８のいずれか一項に記載の方法。
【請求項１０】
前記ノード追加要求メッセージは、セッションに対応するサービス品質に関する情報を更に含む、請求項１乃至９のいずれか一項に記載の方法。
【請求項１１】
前記ノード追加要求メッセージは、フロー識別子及び前記フロー識別子に対応するサービス品質に関する情報を更に含む、請求項１乃至１０のいずれか一項に記載の方法。
【請求項１２】
前記ＲＲＣ接続再構成メッセージは、目標セル識別子を更に含む、請求項３に記載の方法。
【請求項１３】
通信の方法であって、
目標ネットワーク装置により、サービングアクセスネットワーク装置からノード追加要求メッセージを受信するステップであって、前記ノード追加要求メッセージは、端末装置にサービスしているネットワークスライスの識別情報を含む、ステップと、
前記目標ネットワーク装置により、前記サービングアクセスネットワーク装置へ追加要求肯定応答メッセージを送信するステップと、
を含み、
前記ノード追加要求メッセージは、セッションレベルセキュリティ情報を更に含む、方法。
【請求項１４】
前記ネットワークスライスの前記識別情報は、ネットワークスライス種別を含む、請求項１３に記載の方法。
【請求項１５】
前記ノード追加要求メッセージは、確立される必要のある且つ前記端末装置により選択された１つ以上の又は全てのネットワークスライスに対応するベアラの情報を更に含む、請求項１３又は１４に記載の方法。
【請求項１６】
前記ベアラは、２次セルグループ・ベアラ及び分割ベアラを含む、請求項１５に記載の方法。
【請求項１７】
前記ノード追加要求メッセージは、セッションに対応するサービス品質に関する情報を更に含む、請求項１３乃至１６のいずれか一項に記載の方法。
【請求項１８】
前記方法は、
前記目標ネットワーク装置により、前記サービングアクセスネットワーク装置から、前記端末装置が無線リソース構成を完了したことを示すために使用されるメッセージを受信するステップ、を更に含む請求項１３乃至１７のいずれか一項に記載の方法。
【請求項１９】
前記ノード追加要求メッセージは、暗号化機能有効化オプション、又は完全性保護有効化オプションのうちのいずれか１つを更に含む、請求項１３乃至１８のいずれか一項に記載の方法。
【請求項２０】
アクセスネットワーク装置であって、
ノード追加要求メッセージを目標ネットワーク装置へ送信するよう構成されるモジュールであって、前記ノード追加要求メッセージは、端末装置にサービスしているネットワークスライスの識別情報を含む、モジュールと、
前記目標ネットワーク装置から追加要求肯定応答メッセージを受信するよう構成されるモジュールと、
を含み、
前記ノード追加要求メッセージは、セッションレベルセキュリティ情報を更に含む、アクセスネットワーク装置。
【請求項２１】
前記ネットワークスライスの前記識別情報は、ネットワークスライス種別を含む、請求項２０に記載のアクセスネットワーク装置。
【請求項２２】
前記ノード追加要求メッセージは、確立される必要のある且つ前記端末装置により選択された１つ以上の又は全てのネットワークスライスに対応するベアラの情報を更に含む、請求項２０又は２１に記載のアクセスネットワーク装置。
【請求項２３】
前記ベアラは、２次セルグループ・ベアラ及び分割ベアラを含む、請求項２２に記載のアクセスネットワーク装置。
【請求項２４】
前記ノード追加要求メッセージは、セッションに対応するサービス品質に関する情報を更に含む、請求項２０乃至２３のいずれか一項に記載のアクセスネットワーク装置。
【請求項２５】
前記アクセスネットワーク装置は、
前記端末装置へ、接続再構成メッセージを送信するよう構成されるモジュールであって、前記接続再構成メッセージは、目標ネットワークスライスサービス領域識別子を含む、モジュールと、
前記端末装置から、接続再構成完了メッセージを受信するよう構成されるモジュールと、
を更に含む請求項２０乃至２４のいずれか一項に記載のアクセスネットワーク装置。
【請求項２６】
前記アクセスネットワーク装置は、
前記目標ネットワーク装置へ、前記端末装置が無線リソース構成を完了したことを示すために使用されるメッセージを送信するよう構成されるモジュール、
を更に含む請求項２０乃至２４のいずれか一項に記載のアクセスネットワーク装置。
【請求項２７】
前記ノード追加要求メッセージは、暗号化機能有効化オプション、又は完全性保護有効化オプションのうちのいずれか１つを更に含む、請求項２０乃至２５のいずれか一項に記載のアクセスネットワーク装置。
【請求項２８】
前記追加要求肯定応答メッセージは、前記端末装置により選択されたネットワークスライスに対応する許可されたセッションリストを更に含む、請求項２０乃至２６のいずれか一項に記載のアクセスネットワーク装置。
【請求項２９】
前記追加要求肯定応答メッセージは、許可されないフローリストを更に含み、
前記ノード追加要求メッセージは、フロー識別子及び前記フロー識別子に対応するサービス品質に関する情報を更に含む、請求項２０乃至２７のいずれか一項に記載のアクセスネットワーク装置。

【請求項３０】
ネットワーク装置であって、
サービングアクセスネットワーク装置から、ノード追加要求メッセージを受信するよう構成されるモジュールであって、前記ノード追加要求メッセージは、端末装置にサービスしているネットワークスライスの識別情報を含む、モジュールと、
前記サービングアクセスネットワーク装置へ、追加要求肯定応答メッセージを送信するよう構成されるモジュールと、
を含み、
前記ノード追加要求メッセージは、セッションレベルセキュリティ情報を更に含む、ネットワーク装置。
【請求項３１】
前記ネットワークスライスの前記識別情報は、ネットワークスライス種別を含む、請求項３０に記載のネットワーク装置。
【請求項３２】
前記ノード追加要求メッセージは、確立される必要のある且つ前記端末装置により選択された１つ以上の又は全てのネットワークスライスに対応するベアラの情報を更に含む、請求項３０又は３１に記載のネットワーク装置。
【請求項３３】
前記ベアラは、２次セルグループ・ベアラ及び分割ベアラを含む、請求項３２に記載のネットワーク装置。
【請求項３４】
前記ノード追加要求メッセージは、セッションに対応するサービス品質に関する情報を含む、請求項３０乃至３３のいずれか一項に記載のネットワーク装置。
【請求項３５】
前記ネットワーク装置は、
前記サービングアクセスネットワーク装置から、前記端末装置が無線リソース構成を完了したことを示すために使用されるメッセージを受信するよう構成されるモジュール、
を更に含む請求項３０乃至３４のいずれか一項に記載のネットワーク装置。
【請求項３６】
前記ノード追加要求メッセージは、暗号化機能有効化オプション、又は完全性保護有効化オプションのうちのいずれか１つを更に含む、請求項３０乃至３５のいずれか一項に記載のネットワーク装置。
【請求項３７】
通信機器であって、バスを用いて接続される通信機とプロセッサとメモリとを含み、前記メモリはコンピュータプログラム又は命令を格納するよう構成され、前記プロセッサは、前記メモリに格納された前記コンピュータプログラム又は命令を実行して、信号を受信し及び送信するよう前記通信機を制御するよう構成され、前記プロセッサが前記メモリに格納された前記コンピュータプログラム又は命令を実行すると、前記通信機器は、請求項１乃至１２又は１３乃至１９のいずれか一項に記載の方法を達成するよう構成される、通信機器。
【請求項３８】
コンピュータ可読記憶媒体であって、コンピュータプログラム又は命令を格納するよう構成され、前記コンピュータプログラム又は命令がプロセッサ上で実行すると、前記プロセッサは、請求項１乃至１２又は１３乃至１９のいずれか一項に記載の方法を実行する、コンピュータ可読記憶媒体。
【請求項３９】
コンピュータプログラムであって、プロセッサ上で実行すると、前記プロセッサに、請求項１乃至１２又は１３乃至１９のいずれか一項に記載の方法を実行させる、コンピュータプログラム。
【請求項４０】
通信の方法であって、
サービングアクセスネットワーク装置により、ノード追加要求メッセージを目標ネットワーク装置へ送信するステップであって、前記ノード追加要求メッセージは、接続指示及び端末装置にサービスしているネットワークスライスの識別情報を含む、ステップと、
前記目標ネットワーク装置により、前記ノード追加要求メッセージを受信するステップと、
前記目標ネットワーク装置により、前記サービングアクセスネットワーク装置へ追加要求肯定応答メッセージを送信するステップと、
前記サービングアクセスネットワーク装置により、前記追加要求肯定応答メッセージを受信するステップと、
を含み、
前記ノード追加要求メッセージは、セッションレベルセキュリティ情報を更に含む、方法。
【請求項４１】
通信のシステムであって、サービングアクセスネットワーク装置と目標ネットワーク装置とを含み、
前記サービングアクセスネットワーク装置は、前記目標ネットワーク装置へノード追加要求メッセージを送信するよう構成され、前記ノード追加要求メッセージは、端末装置にサービスしているネットワークスライスの識別情報を含み、前記ネットワークスライスの前記識別情報は、ネットワークスライス種別を含み、
前記目標ネットワーク装置は、前記サービングアクセスネットワーク装置へ追加要求肯定応答メッセージを送信するよう構成され、前記ノード追加要求メッセージは、セッションレベルセキュリティ情報を更に含む、  システム。
【請求項４２】
前記ノード追加要求メッセージは、暗号化機能有効化オプション、又は完全性保護有効化オプションのうちのいずれか１つを更に含む、請求項４０に記載の方法。
【請求項４３】
前記ノード追加要求メッセージは、暗号化機能有効化オプション、又は完全性保護有効化オプションのうちのいずれか１つを更に含む、請求項４１に記載のシステム。
【発明の詳細な説明】
【技術分野】
【０００１】
［関連出願］
本願は、中国特許出願番号２０１７１００６１６３４．１、２０１７年１月２６日に中国特許庁に出願、名称「TARGET  CELL  ACCESS  METHOD  AND  DEVICE」の優先権を主張する。該中国特許出願は、参照によりその全体がここに組み込まれる。
【０００２】
［技術分野］
本願は、モバイル通信の分野に関し、特に目標セルアクセス方法及び装置に関する。
【背景技術】
【０００３】
増大する数のユーザケースは、ネットワーク性能に対して顕著に異なる要件を有する。第５世代（the  fifth  generation、５Ｇ）のモバイル通信システムでは、関連ネットワークアーキテクチャを構成するために、ネットワークスライス（network  slice、ＮＳ）の概念が提案されている。
【０００４】
現在、第３世代パートナシップ・プロジェクト（the  third  generation  partnership  project、３ＧＰＰ）に従い、５Ｇにおける主な種類のネットワークスライスは、以下の３種類に分けられる。拡張モバイルブロードバンド（enhanced  mobile  broadband、ｅＭＢＢ）サービス、マッシブ機械型通信（massive  machine  type  communication、ｍＭＴＣ）サービス、及び超高信頼且つ低遅延通信（ultra−reliable  and  low  latency  communications、ＵＲＬＬＣ）サービス。ｅＭＢＢは、主に、移動電話機又はマルチメディア装置のような、レート及びモビリティについて高い要件を有する端末を対象とする。ｍＭＴＣは、主に、大規模、低モビリティ、及び比較的低いレートについての要件を有するモノのインターネット装置を対象とする。ＵＲＬＬＣは、主に、車のインターネット及びセキュリティ情報のような、遅延及び信頼性について厳しい要件を有するサービス又は装置種類に注意を向ける。例えば、移動電話機ユーザは、高速でダウンロードし又は４Ｋ高解像度ビデオを観るために、ｅＭＢＢ型のネットワークスライスにアクセスし得る。センサ装置は、小さなデータパケットを送信し及びシステム構成を更新するために、ｍＭＴＣ型のネットワークスライスにアクセスし得る。ユーザは、サービス要件を満たし及び一層良好なユーザ経験を達成するために、１つ以上の又は全部のネットワークスライスに同時にアクセスし得る。
【０００５】
ネットワークスライスを選択する手順は、２つのステップ：ネットワークスライスガイド、及びネットワークスライス関連付け、に分けられる。
【０００６】
ステップ１（ネットワークスライスガイド）。端末装置が、選択された公衆地上移動体ネットワーク（public  land  mobile  network、ＰＬＭＮ）へのネットワーク接続確立を開始するとき、無線アクセスネットワーク（radio  access  network、ＲＡＮ）は、ユーザの確立要求を、コアネットワーク（core  network、ＣＮ）のネットワークスライス選択モジュールへ転送する。モジュールは、端末装置のために適切なネットワークスライスを選択し、及び端末装置に適切なＮＳＩＤを割り当てるために、ネットワークスライスに関連する加入者情報のような端末装置に関する情報、サービスレベルの合意（service  level  agreement、ＳＬＡ）、負荷情報、並びに、選択されたＰＬＭＮ識別子、端末装置の識別子、及び端末装置によりサポートされるＣＮ能力に関する情報のような、端末装置により提供される有用な情報に基づくローカル構成をクエリしてよい。端末装置は、ＮＳＩＤを格納する。さらに、ネットワークスライス選択モジュールは、対応するＮＦ識別子のような選択されたネットワークスライスエンティティに対応する構成情報をＲＡＮに通知する。その結果、ＲＡＮは、その後にＣＰ及びＵＰチャネルを端末装置と選択されたネットワークスライスとの間に確立する。
【０００７】
ステップ２（ネットワークスライス関連付け）。ネットワークスライスガイドが終了した後に、端末装置は、ネットワークスライス接続を再び開始する。例えば、端末装置がサービス要件によりサービス要求を開始する必要のあるとき、ＲＡＮは、ＣＰ及びＵＰ接続を端末装置と端末装置に対応するネットワークスライスインスタンスの間に確立するために、端末装置により報告され及び格納されたＮＳＩＤ及びローカルに格納されたネットワークスライスエンティティの構成情報に基づき、対応するＮＦを選択する。
【０００８】
現在のネットワークスライスガイド方法は、ネットワークが端末装置のために適切なネットワークスライスを正確に選択できるという前提に基づき確立されている。しかしながら、実際のネットワークスライス配置例は考慮されず、幾つかのネットワークスライスはローカルネットワーク領域にのみ配置されることがある。例えば、会社は、会社の従業員に特別にサービスするために、工業団地内の会社の従業員のためにネットワークスライスを確立する。代替として、ネットワークスライスは、競技場内に配置され、その結果、ユーザが競技場内でサービスを開始するとき、ユーザは良好なサービスを享受することができ、サービス経験が向上され得る。この場合、端末装置が移動すると、サービングセルが変わり、端末装置がネットワークスライスのサービスを享受し続けることは困難である。したがって、ネットワークスライスのサービス連続性及びサービス経験を保証することは困難である。
【発明の概要】
【０００９】
本願の実施形態は、端末装置が目標セルにアクセスするように、ネットワークスライスサービス領域識別子及びネットワークスライス構成情報を端末装置に提供するために、目標セルアクセス方法及び装置を提供する。
【００１０】
この観点から、本発明の実施形態の第１の態様は、以下を含む目標セルアクセス方法を提供する。
【００１１】
端末装置は、ネットワークスライスサービス領域識別子を、端末装置の位置するサービングセルに対応するサービングアクセスネットワーク装置から取得する。ここで、ネットワークスライスサービス領域識別子は、ネットワークスライスによりサービスされる領域を示すために使用される。本願の実施形態では、追跡領域（Tracking  Area、ＴＡ）の識別子は、各セルに予め割り当てられてよく、例えばセル１のＴＡ識別子はＴＡ１である。異なるネットワークスライスは異なるサービス範囲を有する。例えば、ネットワークスライス１はＴＡ１、ＴＡ２及びＴＡ３をカバーする必要があり、ネットワークスライス２はＴＡ２、ＴＡ４及びＴＡ５をカバーする必要があり、ネットワークスライス３はＴＡ６のみをカバーする。これはここで限定されない。端末装置は、ネットワークスライス構成情報及びネットワークスライスサービス領域識別子に基づき、目標セルを決定する。ここで、ネットワークスライス構成情報は、ネットワークスライス、領域、及びサービスの間の対応を含む。端末装置は、目標セルにアクセスする。
【００１２】
本発明の第１の態様に関して、本発明の第１の態様の第１の実装では、当該方法は以下を含む。端末装置は、コアネットワークからネットワークスライス構成情報を取得する。任意で、幾つかの実現可能な実施形態では、ネットワークスライス構成情報は、端末装置の装置記憶又は加入者識別モジュール（Subscriber  IdentificationModule、ＳＩＭ）カードの記憶ユニット内に予め構成されてよく、或いは、非アクセスストラタム（Non−access、ＮＡＳ）メッセージを用いて構成メッセージが端末装置へ送信されてよく、端末装置は受信したネットワークスライス構成情報を格納する。
【００１３】
コアネットワーク及び端末装置は、ネットワークスライス構成情報を交換し、サービングアクセスネットワーク装置及び端末装置は、ネットワークスライスサービス領域識別子を交換する。その結果、端末装置は、ネットワークスライスのサービス範囲を検知する。
【００１４】
本発明の第１の態様の第１の実装に関して、本発明の第１の態様の第２の実装では、当該方法は以下を含む。
【００１５】
端末装置は、コアネットワークへ要求メッセージを送信する。ここで、要求メッセージは、ネットワークスライス構成情報を要求するために使用される。幾つかの実現可能な実施形態では、端末装置は、サービングアクセスネットワーク装置へのネットワーク接続、例えばＲＲＣ接続を確立してよい。ネットワーク接続が確立された後に、端末装置は、サービングアクセスネットワーク装置とのアップリンク及びダウンリンクデータ通信を実行し、サービングアクセスネットワーク装置を用いて、サービングアクセスネットワーク装置にサービスするコアネットワークとのアップリンク及びダウンリンクデータ通信を実行してよい。端末装置は、コアネットワークからネットワークスライス構成情報を受信する。
【００１６】
コアネットワーク及び端末装置は、ネットワークスライスサービス領域識別子を交換し、その結果、端末装置はネットワークスライスのサービス範囲を検知する。
【００１７】
本発明の第１の態様に関して、本発明の第１の態様の第３の実装では、当該方法は以下を含む。
【００１８】
端末装置は、サービングアクセスネットワーク装置へ指示メッセージを送信する。ここで、指示メッセージは、ネットワークスライスに対する要件を示すために使用される。端末装置は、サービングアクセスネットワーク装置からネットワークスライスサービス領域識別子を取得する。本願の実施形態では、端末装置は、対応する周波数チャネル番号及び帯域幅のような情報を取得するために、先ず、サービングアクセスネットワーク装置と同期し、例えば１次同期信号及び２次同期信号に対する検出を実行し、時間ドメイン及び周波数ドメインにおいて修正を実行してよい。
【００１９】
目標サービスを使用している端末装置が移動すると、サービングセルが変わる場合でも、端末装置は、取得したネットワークスライス構成情報及び取得したネットワークスライスサービス領域識別子に基づき目標セルを決定し、目標セル内で目標サービスを享受し続けることができ、その結果、サービス連続性が保証される。
【００２０】
本発明の実施形態の第２の態様は、以下を含む目標セルアクセス方法を提供する。
【００２１】
サービングアクセスネットワーク装置は、接続指示を目標ネットワーク装置へ送信する。接続指示は、端末装置に接続するよう目標ネットワーク装置に指示するために使用される。本願の実施形態では、サービングアクセスネットワーク装置はサービングアクセスネットワーク装置を含み、目標ネットワーク装置はサービングアクセスネットワーク装置又はコアネットワークを含む。サービングアクセスネットワーク装置が第１サービングアクセスネットワーク装置であり、目標ネットワーク装置が第２ＲＡＮネットワーク要素であるとき、幾つかの実現可能な実施形態では、サービングアクセスネットワーク装置は、目標ネットワーク装置に対するインタフェース確立要求を開始する。インタフェース確立要求は、ネットワークスライス情報を含み、２つの接続されたサービングアクセスネットワーク装置のアプリケーション側で構成を交換するために使用される。サービングアクセスネットワーク装置は、目標ネットワークスライスサービス領域識別子を端末装置へ送信する。ここで、目標ネットワークスライスサービス領域識別子は、目標領域を示すために使用される。その結果、端末装置は、ネットワークスライス構成情報及びネットワークスライスサービス領域識別子に基づき、目標セルを決定する。ここで、ネットワークスライス構成情報は、ネットワークスライス、領域、及びサービスの間の対応を含む。
【００２２】
本発明の第２の態様に関して、本発明の第２の態様の第１の実装では、当該方法は以下を含む。
【００２３】
サービングアクセスネットワーク装置は、目標ネットワーク装置へハンドオーバ要求を送信し、ここで、ハンドオーバ要求は、ハンドオーバ準備を開始するために使用される接続指示を含む。サービングアクセスネットワーク装置が、端末装置へ目標ネットワークスライスサービス領域識別子を送信することは、以下を含む。サービングアクセスネットワーク装置は、端末装置へハンドオーバコマンドを送信し、ここで、ハンドオーバコマンドは、目標ネットワークスライスサービス領域識別子を含み、ハンドオーバコマンドは、目標ネットワーク装置へハンドオーバするよう端末装置に指示する。
【００２４】
ネットワーク装置は、ネットワークスライス構成情報を交換し、その結果、ネットワーク装置は近隣セルのスライスカバレッジ情報を検知する。
【００２５】
本発明の第２の態様に関して、本発明の第２の態様の第２の実装では、当該方法は以下を含む。
【００２６】
サービングアクセスネットワーク装置は、目標ネットワーク装置へノード追加要求を送信し、ここで、ノード追加要求は接続指示を含む。２つのネットワーク装置は、端末装置にサービスしている又は端末装置により要求されたネットワークスライスのサービス領域識別子を交換してよい。ここで、サービングアクセスネットワーク装置は、複数接続動作を実行するよう目標ネットワーク装置をトリガし、又は目標ネットワーク装置に関する情報を直接変更してよい。サービングアクセスネットワーク装置が、端末装置へ目標ネットワークスライスサービス領域識別子を送信することは、以下を含む。サービングアクセスネットワーク装置は、端末装置へ接続再構成メッセージを送信し、ここで、接続再構成メッセージは、目標ネットワークスライスサービス領域識別子を含み、接続再構成メッセージは、目標ネットワーク装置に接続するよう端末装置に指示するために使用される。
【００２７】
ネットワーク装置は、端末装置にサービスしている又は端末装置の関心のあるネットワークスライスのサービス領域識別子を交換し、その結果、目標ネットワーク装置はモビリティを最適化するために情報を考慮し得る。
【００２８】
本発明の第２の態様に関して、本発明の第２の態様の第３の実装では、当該方法は以下を含む。
【００２９】
サービングアクセスネットワーク装置は、目標ネットワーク装置へノード変更要求を送信する。ここで、ノード変更要求は、端末装置に対する目標ネットワーク装置の無線リソース構成を変更するよう目標ネットワーク装置に指示するために使用される。幾つかの実現可能な実施形態では、２つのネットワーク装置が、端末装置にサービスしている又は端末装置により要求されたネットワークスライスのサービス領域識別子を交換してよく、１次サービングアクセスネットワーク装置は、現在の複数接続動作を変更するよう２次サービングアクセスネットワーク装置をトリガする。サービングアクセスネットワーク装置は、接続再構成メッセージを端末装置へ送信する。ここで、接続再構成メッセージは、無線リソース構成を含む。
【００３０】
ネットワーク装置は、端末装置にサービスしている又は端末装置の関心のあるネットワークスライスのサービス領域識別子を交換し、その結果、サービス・アクセス・ネットワークは複数接続動作を実行するよう又は目標ネットワーク装置を変更するよう、目標ネットワーク装置をトリガする。
【００３１】
本発明の第２の態様に関して、本発明の第２の態様の第４の実装では、当該方法は以下を含む。
【００３２】
サービングアクセスネットワーク装置は、目標ネットワーク装置により送信されたノード変更要求を受信する。幾つかの実現可能な実施形態では、２つのネットワーク装置が、端末装置にサービスしている又は端末装置により要求されたネットワークスライスのサービス領域識別子を交換してよく、２次サービングアクセスネットワーク装置は、現在の複数接続動作の変更を開始する。
【００３３】
ネットワーク装置は、端末装置にサービスしている又は端末装置の関心のあるネットワークスライスのサービス領域識別子を交換し、その結果、１次サービングアクセスネットワーク装置は現在の複数接続動作を変更するよう、目標ネットワーク装置をトリガする。
【００３４】
目標サービスを使用している端末装置が移動すると、サービングセルが変わる場合でも、端末装置は、取得したネットワークスライス構成情報及び取得したネットワークスライスサービス領域識別子に基づき目標セルを決定し、目標セル内で目標サービスを享受し続けることができ、その結果、サービス連続性が保証される。
【００３５】
本発明の実施形態の第３の態様は、端末装置であって、
端末装置の位置するサービングセルに対応するサービングアクセスネットワーク装置からネットワークスライスサービス領域識別子を取得するよう構成される第１取得モジュールであって、ネットワークスライスサービス領域識別子は、ネットワークスライスによりサービスされる領域を示すために使用される、第１取得モジュールと、ネットワークスライス構成情報及びネットワークスライスサービス領域識別子に基づき目標セルを決定するよう構成される決定モジュールであって、ネットワークスライス構成情報は、ネットワークスライス、領域、及びサービスの間の対応を含む、決定モジュールと、目標セルにアクセスするよう構成されるアクセスモジュールと、を含む端末装置を提供する。
【００３６】
本発明の第３の態様に関して、本発明の第３の態様の第１の実装では、端末装置は、
コアネットワークからネットワークスライス構成情報を取得するよう構成される第２取得モジュール、を含む。
【００３７】
本発明の第３の態様に関して、本発明の第３の態様の第２の実装では、端末装置は、
コアネットワークへ要求メッセージを送信するよう構成される第１送信サブモジュールであって、要求メッセージはネットワークスライス構成情報を要求するために使用される、第１送信サブモジュールと、コアネットワークからネットワークスライス構成情報を受信するよう構成される受信サブモジュールと、を含む。
【００３８】
本発明の第３の態様に関して、本発明の第３の態様の第３の実装では、端末装置は、
サービングアクセスネットワーク装置へ指示メッセージを送信するよう構成される第２送信サブモジュールであって、指示メッセージはネットワークスライスの要件を示すために使用される、第２送信サブモジュールと、サービングアクセスネットワーク装置からネットワークスライスサービス領域識別子を取得するよう構成される取得サブモジュールと、を含む。
【００３９】
本発明の実施形態の第４の態様は、サービングアクセスネットワーク装置であって、
目標ネットワーク装置へ接続指示を送信するよう構成される第１送信モジュールであって、接続指示は、端末装置に接続するよう目標ネットワーク装置に指示するために使用される、第１送信モジュールと、端末装置へ目標ネットワークスライスサービス領域識別子を送信するよう構成される第２送信モジュールであって、目標ネットワークスライスサービス領域識別子は、目標領域を示すために使用され、その結果、端末装置はネットワークスライス構成情報及びネットワークスライスサービス領域識別子に基づき目標セルを決定し、ネットワークスライス構成情報はネットワークスライス、領域、及びサービスの間の対応を含む、第２送信モジュールと、を含むサービングアクセスネットワーク装置を提供する。
【００４０】
本発明の第４の態様に関して、本発明の第４の態様の第１の実装では、第１送信モジュールは、
目標ネットワーク装置へハンドオーバ要求を送信するよう構成される第１送信サブモジュールであって、ハンドオーバ要求は接続指示を含む、第１送信サブモジュール、を含む。第２送信モジュールは、端末装置へハンドオーバコマンドを送信するよう構成される第２送信サブモジュールであって、ハンドオーバコマンドは目標ネットワークスライスサービス領域識別子を含み、ハンドオーバコマンドは目標ネットワーク装置へハンドオーバするよう端末装置に指示する、第２送信サブモジュール、を含む。
【００４１】
本発明の第４の態様に関して、本発明の第４の態様の第２の実装では、第１送信モジュールは、
目標ネットワーク装置へノード追加要求を送信するよう構成される第３送信サブモジュールであって、ノード追加要求は接続指示を含む、第３送信サブモジュールを含む。第２送信モジュールは、端末装置へ接続再構成メッセージを送信するよう構成される第４送信サブモジュールであって、接続再構成メッセージは、目標ネットワークスライスサービス領域識別子を含み、接続再構成メッセージは、目標ネットワーク装置に接続するよう端末装置に指示するために使用される、第４送信サブモジュールを含む。
【００４２】
本発明の第４の態様を参照して、本発明の第４の態様の第３の実装では、サービングアクセスネットワーク装置は、
目標ネットワーク装置へノード変更要求を送信するよう構成される第３送信モジュールであって、ノード変更要求は、端末装置のために目標ネットワーク装置の無線リソース構成を変更するよう目標ネットワーク装置に指示するために使用される、第３送信モジュールと、端末装置から接続再構成メッセージを受信するよう構成される第１受信モジュールであって、接続再構成メッセージは無線リソース構成を含む、第１受信モジュールと、を含む。
【００４３】
本発明の第４の態様に関して、本発明の第４の態様の第４の実装では、サービングアクセスネットワーク装置は、
目標ネットワーク装置により送信されたノード変更要求を受信するよう構成される第２受信モジュール、を含む。
【００４４】
本発明の実施形態の第５の態様は、通信機とメモリとプロセッサとバスとを含む端末装置を提供する。通信機、メモリ、及びプロセッサは、バスを用いて接続される。通信機は、ネットワークスライスサービス領域識別子を、端末装置の位置するサービングセルに対応するサービングアクセスネットワーク装置から取得するよう構成される。ここで、ネットワークスライスサービス領域識別子は、ネットワークスライスによりサービスされる領域を示すために使用される。プロセッサは、ネットワークスライス構成情報及びネットワークスライスサービス領域識別子に基づき、目標セルを決定し、ここでネットワークスライス構成情報はネットワークスライス、領域、及びサービスの間の対応を含み、及び目標セルにアクセスする、よう構成される。メモリは、プログラム、目標領域、目標サービス、及びネットワークスライス構成情報を格納するよう構成される。
【００４５】
本発明の実施形態の第６の態様は、通信機とメモリとプロセッサとバスとを含むサービングアクセスネットワーク装置を提供する。通信機、メモリ、及びプロセッサは、バスを用いて接続される。通信機は、目標ネットワーク装置へ接続指示を送信し、ここで接続指示は端末装置に接続するよう目標ネットワーク装置に指示するために使用され、端末装置へ目標ネットワークスライスサービス領域識別子を送信し、ここで目標ネットワークスライスサービス領域識別子は目標領域を示すために使用され、その結果、端末装置はネットワークスライス構成情報及びネットワークスライスサービス領域識別子に基づき目標セルを決定し、ここでネットワークスライス構成情報はネットワークスライス、領域、及びサービスの間の対応を含む、よう構成される。メモリは、プログラム、目標領域、目標サービス、及びネットワークスライス構成情報を格納するよう構成される。プロセッサは、サービングアクセスネットワーク装置の機能を実行するよう構成される。
【００４６】
本願の別の態様は、コンピュータ可読記憶媒体を提供する。コンピュータ可読記憶媒体は命令を格納する。命令がコンピュータ上で実行されると、該コンピュータは、前述の態様の方法を実行する。
【００４７】
本願の別の態様は、命令を含むコンピュータプログラムプロダクトを提供する。命令がコンピュータ上で実行されると、該コンピュータは、前述の態様の方法を実行する。
【００４８】
本願の実施形態は以下の利点を有することが、前述の技術的ソリューションから分かる。
【００４９】
端末装置は、ネットワークスライスサービス領域識別子を、端末装置の位置するサービングセルに対応するサービングアクセスネットワーク装置から取得する。ここで、ネットワークスライスサービス領域識別子は、ネットワークスライスによりサービスされる領域を示すために使用される。端末装置は、ネットワークスライス構成情報及びネットワークスライスサービス領域識別子に基づき、目標セルを決定する。ここで、ネットワークスライス構成情報は、ネットワークスライス、領域、及びサービスの間の対応を含む。端末装置は、目標セルにアクセスする。したがって、目標サービスを使用している端末装置が移動するとき、サービングセルが変わる場合でも、端末装置は、取得したネットワークスライス構成情報及び取得したネットワークスライスサービス領域識別子に基づき目標セルを決定し、目標セル内で目標サービスを享受し続けることができ、その結果、サービス連続性が保証される。
【００５０】
さらに、サービングアクセスネットワーク装置は、目標ネットワーク装置へ接続指示を送信する。ここで、接続指示は、端末装置に接続するよう目標ネットワーク装置に指示するために使用される。サービングアクセスネットワーク装置は、端末装置へ目標ネットワークスライスサービス領域識別子を送信する。ここで、目標ネットワークスライスサービス領域識別子は目標領域を示すために使用される。端末装置は、ネットワークスライス構成情報及びネットワークスライスサービス領域識別子に基づき、目標セルを決定する。ここで、ネットワークスライス構成情報は、ネットワークスライス、領域、及びサービスの間の対応を含む。したがって、目標サービスを使用している端末装置が移動するとき、サービングセルが変わる場合でも、端末装置は、取得したネットワークスライス構成情報及び取得したネットワークスライスサービス領域識別子に基づき目標セルを決定し、目標セル内で目標サービスを享受し続けることができ、その結果、サービス連続性が保証される。
【図面の簡単な説明】
【００５１】
【図１】本願の一実施形態によるネットワークスライスシステムの枠組みの概略図である。
【００５２】
【図２】本願の一実施形態による目標セルアクセス方法の一実施形態の概略図である。
【００５３】
【図２．１】本願の一実施形態による目標セルアクセス方法の一実施形態の概略図である。
【００５４】
【図３】本願の一実施形態による目標セルアクセス方法の別の実施形態の概略図である。
【００５５】
【図４】本願の一実施形態による目標セルアクセス方法の別の実施形態の概略図である。
【００５６】
【図５】本願の一実施形態による目標セルアクセス方法の別の実施形態の概略図である。
【００５７】
【図６】本願の一実施形態による目標セルアクセス方法の別の実施形態の概略図である。
【００５８】
【図７】本願の一実施形態による目標セルアクセス方法の別の実施形態の概略図である。
【００５９】
【図８】本願の一実施形態による目標セルアクセス方法の別の実施形態の概略図である。
【００６０】
【図９】本願の一実施形態による目標セルアクセス方法の別の実施形態の概略図である。
【００６１】
【図１０】本願の一実施形態による端末装置１０００の一実施形態の概略図である。
【００６２】
【図１１】本願の一実施形態による端末装置１０００の別の実施形態の概略図である。
【００６３】
【図１２】本願の一実施形態による端末装置１０００の別の実施形態の概略図である。
【００６４】
【図１３】本願の一実施形態による端末装置１０００の別の実施形態の概略図である。
【００６５】
【図１４】本願の一実施形態によるサービングアクセスネットワーク装置１４００の一実施形態の概略図である。
【００６６】
【図１５】本願の一実施形態によるサービングアクセスネットワーク装置１４００の別の実施形態の概略図である。
【００６７】
【図１６】本願の一実施形態によるサービングアクセスネットワーク装置１４００の別の実施形態の概略図である。
【００６８】
【図１７】本願の一実施形態によるサービングアクセスネットワーク装置１４００の別の実施形態の概略図である。
【００６９】
【図１８】本願の一実施形態によるサービングアクセスネットワーク装置１４００の別の実施形態の概略図である。
【００７０】
【図１９】本願の一実施形態による端末装置１９００の別の実施形態の概略図である。
【００７１】
【図２０】本願の一実施形態によるサービングアクセスネットワーク装置２０００の別の実施形態の概略図である。
【発明を実施するための形態】
【００７２】
本願の実施形態は、端末装置が目標セルにアクセスするように、ネットワークスライスサービス領域識別子及びネットワークスライス構成情報を端末装置に提供するために、目標セルアクセス方法及び装置を提供する。
【００７３】
当業者に本願の実施形態におけるソリューションをより良く理解させるために、以下は、本願の実施形態における技術的ソリューションを本願の実施形態における添付の図面を参照して明確且つ完全に記載する。明らかに、記載される実施形態は、本願の実施形態のほんの一部であり、全部ではない。
【００７４】
本願の明細書、請求項、及び添付の図面において、用語「第１」、「第２」、「第３」、「第４」、等は（それらが存在する場合には）、類似するオブジェクト間を区別することを意図し、必ずしも特定の順序又は順番を示さない。理解されるべきことに、このように命名されたデータは、適正な環境において同義である。その結果、ここに記載の本発明の実施形態は、ここに図示され又は記載された順序以外の順序で実施可能である。さらに、用語「含む」、「有する」及び任意の他の変形は、非排他的包含をカバーすること、例えばステップ若しくはユニットのリストを含む処理、方法、システム、製品、又は装置が必ずしも明示的に列挙された該ステップ若しくはユニットに限定されないが、そのような処理、方法、システム、製品、又は装置のような明示的にリストされ又はそれに特有でない他のステップ若しくはユニットを含み得ることを意味する。
【００７５】
図１に示すように、図１は、ネットワークスライスシステムの概略アーキテクチャ図である。ネットワークスライスシステムは、ネットワーク装置及び端末を含み、ネットワーク装置は、コアネットワーク及びアクセスネットワークを含む。ロングタームエボリューション（Long  Term  Evolution、ＬＴＥ）システムは、以下で説明のための一例として用いられる。
【００７６】
留意すべきことに、端末装置がマクロ基地局又はマイクロ基地局により提供されるセル（キャリア）のカバレッジ領域内に位置するとき、端末装置は、セルにより使用される送信リソース（例えば、周波数ドメインリソース又はスペクトルリソース）を用いてネットワーク装置と通信する。セルは、ネットワーク装置に対応するセルであってよく、セルは、マクロセル（Macro  Cell）、ハイパーセル（Hyper  Cell）又はビーム（Beam）に属してよく、或いは、スモールセル（Small  Cell）に対応する基地局に属してよい。スモールセルは、ここでは、メトロセル（Metro  cell）、マイクロセル（Micro  cell）、ピコセル（Pico  cell）、フェムトセル（Femto  cell）、等を含んでよい。スモールセルは、小さなカバレッジ領域及び低送信電力を特徴とし、高いレートのデータ送信サービスを提供するのに適用可能である。端末装置にサービスする複数のセルが存在するとき、端末装置は、多地点協調送信（coordinated  multiple  point  transmission、ＣｏＭＰ）方法で動作し得る。
【００７７】
本願の一実施形態では、ネットワークスライスシステムの機能は、ソフトウェア定義ネットワーク（software  defined  network、ＳＤＮ）技術及びネットワーク機能仮想化（network  function  virtualization、ＮＦＶ）技術を中核技術として用いて実装される。
【００７８】
ＮＦＶ技術は、基礎となる物理リソースの仮想化を実施し、仮想ネットワーク機能（network  function、ＮＦ）を仮想機械のような汎用プラットフォームにロードする。ＳＤＮ技術は、仮想機械間の論理接続を実施し、シグナリング及びデータフローを伝達するパスを構築する。エンド・ツー・エンド・サービスリンクは、無線アクセスネットワーク（radio  access  network、ＲＡＮ）の異なるＮＦとコアネットワーク（core  network、ＣＮ）との間の動的接続を用いて構成される。その結果、ネットワークスライスが構築される。容量、カバレッジ、レート、遅延、及び信頼性のような主要性能指標（key  performance  indicator、ＫＰＩ）についての特定の商用使用例の要件に基づき、オペレータは、特定ネットワーク機能セット及びこれらのネットワーク機能を実行するために必要なネットワークリソースを形成してよい。その結果、所要電子通信サービス及びネットワーク能力サービスが提供されてよく、それにより、特定の市場シナリオ及び要件を満たす。
【００７９】
留意すべきことに、３ＧＰＰでは、ネットワークアーキテクチャに関連する現在の議論は、主にネットワークスライス選択に焦点を当てている。ネットワークスライス選択は、ネットワークスライスへの対応する制御プレーン（control  plane、ＣＰ）及び／又はユーザプレーン（user  plane、ＵＰ）接続を確立するために、ユーザ機器（user  equipment、ＵＥ）のために適切なネットワークスライスを選択し、端末装置を特定ネットワークスライスに関連付けることを目的とする。
【００８０】
幾つかの実現可能な実施形態では、端末装置がネットワークスライスに関連付けられる又はネットワークスライスをハンドオーバする必要のあるとき、適切なネットワークスライスが、ネットワークスライスガイドに基づき端末装置のために選択され及び関連付けられてよい。つまり、対応するネットワークスライス識別子（network  Slice  identification、ＮＳＩＤ）が端末装置に割り当てられる。具体的に、ＮＳＩＤは、ネットワークスライス選択の完全な手順を実施するために、２つのネットワークスライスガイド方法で端末装置のために選択される。
【００８１】
ガイド方法１。ネットワークスライス識別子（network  slice  identification、ＮＳＩＤ）は、端末装置のユニバーサル加入者識別モジュール（universal  subscriber  identity  module、ＵＳＩＭ）カード内に予め構成される。ガイド方法２。端末装置が公衆地上移動体ネットワーク（public  land  mobile  network、ＰＬＭＮ）に登録する処理において、ネットワークはＮＳＩＤを端末装置に割り当てる。
【００８２】
２つの方法は、それぞれ異なるシナリオに対応している。ネットワークスライスガイドが終了すると、端末装置は、ＰＬＭＮ毎に１つのＮＳＩＤを格納し、ＰＬＭＮとの後の通信処理においてＮＳＩＤを使用し、ＮＳＩＤは、ネットワークにより、対応するネットワークスライスに端末装置を関連付けるために使用される。
【００８３】
本願は、サービングアクセスネットワーク装置がネットワークスライス及び端末装置のモビリティをどのように考慮するかという問題を解決するために使用される。つまり、サービス領域により制限されるネットワークスライスについて、端末装置のモビリティが考慮される。端末装置が移動するとき、端末装置に対するネットワークスライスのサービス連続性が向上される。具体的に、アイドル状態の端末装置は、所要ネットワークスライスのカバレッジ領域に関する情報を知る。その結果、端末装置は、可能な限りセルにアクセスするために、所要ネットワークスライスによりカバーされる該セルを選択し又は再選択する優先度を増大することができる。さらに、端末装置がネットワークスライスにアクセスしており、現在のセルのカバレッジ端へ移動し、ソースセルと目標セルとの間でハンドオーバが実行される必要のあるとき、ソース・サービングアクセスネットワーク装置は、目標サービングアクセスネットワーク装置が端末装置によりアクセスされるネットワークスライスのサービスを提供し又は別のネットワークスライスを再選択できることを保証するために、及びハンドオーバ手順の実行が成功することを保証するために、適切な目標サービングアクセスネットワーク装置を選択する必要がある。
【００８４】
幾つかの実現可能な実施形態では、本願は、ユニバーサル移動体電子通信システム（Universal  Mobile  Telecommunications  System、ＵＭＴＳ）システム、ＣＤＭＡシステム、無線ローカルエリアネットワーク（ＷＬＡＮ、wireless  local  area  network）、又は新無線（New  Radio、ＮＲ）システム又は新無線アクセス技術（New  Radio  Access  Technology）の進化型ＬＴＥ（evolved  LTE、ｅＬＴＥ）のような将来の５Ｇ（the  fifth  generation）無線通信システムにも適用可能である。つまり、ｅＬＴＥにおけるアクセスネットワーク装置は、ＬＴＥのコアネットワーク、将来の５Ｇのコアネットワーク、等に同時に接続してよい。
【００８５】
本願の実施形態では、ネットワーク装置は、アクセスネットワーク装置であり且つセクタを用いて無線インタフェースを介して端末と通信し及び接続する装置であってよい。ネットワーク装置は、受信した無線フレーム及びインターネットプロトコル（ＩＰ）パケットを相互に変換し、端末装置とアクセスネットワークの残りの部分との間のルータとして動作するよう構成されてよい。アクセスネットワークの残りの部分は、ＩＰネットワークを含んでよい。ネットワーク装置は、さらに、無線インタフェースの属性管理を調整してよい。例えば、ネットワーク装置は、移動体通信のためのグローバルシステム（Global  System  for  Mobile  Communication、ＧＳＭ）又は符号分割多元接続（Code  Division  Multiple  Access、ＣＤＭＡ）技術における基地トランシーバ局（Base  Transceiver  Station、ＢＴＳ）であってよく、又は広帯域符号分割多元接続（Wideband  Code  Division  Multiple  Access、ＷＣＤＭＡ）におけるＮｏｄｅＢ（NodeB）であってよく、又はＬＴＥにおける進化型ＮｏｄｅＢ（NodeB、eNB、又はe−NodeB、evolutional  Node  B）であってよい。これはここで限定されない。
【００８６】
本願の実施形態では、ＲＡＮ装置は、ＷＬＡＮにおけるアクセスポイント（ACCESS  POINT、ＡＰ）又はＧＳＭ若しくはＣＤＭＡにおける基地トランシーバ局（Base  Transceiver  Station、ＢＴＳ）であってよく、又はＷＣＤＭＡにおけるＮｏｄｅＢ（NodeB、NB）であってよく、又はＬＴＥにおける進化型ＮｏｄｅＢ（Evolutional  Node  B、eNB又はeNodeB）、中継局若しくはアクセスポイント、車内装置、ウェアラブル装置、将来の５Ｇネットワークにおけるネットワーク装置、又は将来の進化型ＰＬＭＮネットワークにおけるネットワーク装置、例えば基地局、送受信ポイント（Transmission  and  Reception  Point、ＴＲＰ）、５Ｇコアネットワークに接続可能な中央ユニット（Centralized  Unit、ＣＵ）又は分散ユニット（Distributed  Unit、ＤＵ）であってよい。ＣＮ装置は、ＬＴＥにおけるモビリティ管理エンティティ（Mobile  Management  Entity、ＭＭＥ）又はゲートウェイ（Gateway）であってよく、又は５Ｇネットワークにおける制御プレーン（Control  Plan、ＣＰ）ネットワーク機能（Network  Function、ＮＦ）若しくはユーザプレーン（User  Plan、ＵＰ）ネットワーク機能、例えば共通制御プレーンネットワーク機能（Common  CP  NF、ＣＣＮＦ）若しくはセッション管理ネットワーク機能（Session  Management  NF、ＳＭＦ）であってよい。サービングアクセスネットワーク装置は、サーバであってよく、異なる構成又は異なる性能によって大幅に変化してよく、１つ以上の中央処理ユニット（central  processing  units、ＣＰＵ）（例えば、１つ以上のプロセッサ）及びメモリ、並びにアプリケーションプログラム若しくはデータを格納するための１つ以上の記憶媒体（例えば、１つ以上の大容量記憶装置）を含んでよい。メモリ及び記憶媒体は、一時的記憶又は永久的記憶であってよい。記憶媒体に格納されたプログラムは、１つ以上のモジュール（図中に示されない）を含んでよく、各モジュールは、サーバに対する一連の命令動作を含んでよい。さらに、中央処理ユニットは、記憶媒体と通信し、記憶媒体内の一連の命令動作をサーバ上で実行するよう構成されてよい。
【００８７】
サーバは、１つ以上の電源、１つ以上の有線若しくは無線ネットワークインタフェース、１つ以上の入力／出力インタフェース、及び／又は１つ以上のオペレーティングシステム、例えばＷｉｎｄｏｗｓ  Ｓｅｒｖｅｒ（商標）、ＭａｃＯＳ  Ｘ（商標）、Ｕｎｉｘ（商標）、Ｌｉｎｕｘ（商標）、ＦｒｅｅＢＳＤ（商標）を更に含んでよい。
【００８８】
特に、留意すべきことに、本願の実施形態において言及される端末装置は、ユーザに音声及び／又はデータ接続を提供する装置、無線接続機能を備えるハンドヘルド装置、又は無線モデムに接続された別の処理装置であってよい。無線端末は、無線アクセスネットワーク（ＲＡＮ、Radio  Access  Network）を通じてコアネットワークと通信してよい。無線端末は、移動電話機（又は「セルラ」フォンとも呼ばれる）のようなモバイル端末及びモバイル端末を備えるコンピュータであってよく、例えば、無線アクセスネットワークと音声及び／又はデータを交換する、ポータブルなポケットサイズのハンドヘルド型の内蔵コンピュータ若しくは車載モバイル機器であってよい。例えば、無線端末は、パーソナル通信サービス（ＰＣＳ、Personal  Communication  Service）フォン、コードレス電話機セット、セッション開始プロトコル（ＳＩＰ）フォン、無線ローカルループ（ＷＬＬ、Wireless  Local  Loop）局、又はパーソナルデジタルアシスタント（ＰＤＡ、Personal  Digital  Assistant）のような装置であってよい。無線端末は、システム、加入者ユニット（Subscriber  Unit）、加入者局（Subscriber  Station）、移動局（Mobile  Station）、移動局（Mobile）、リモート局（Remote  Station）、アクセスポイント（Access  Point）、リモート端末（Remote  Terminal）、アクセス端末（Access  Terminal）、ユーザ端末（User  Terminal）、端末装置、ユーザエージェント（User  Agent）、ユーザ装置（User  Device）、又はユーザ機器（User  Equipment）とも呼ばれることがある。
【００８９】
移動電話機は一例として用いられ、移動電話機の構造は、無線周波数（Radio  Frequency、ＲＦ）回路、メモリ、入力ユニット、ディスプレイユニット、センサ、オーディオ周波数回路、無線フィデリティ（wireless  fidelity、ＷｉＦｉ）モジュール、プロセッサ、及び電源のようなコンポーネントを含んでよい。当業者は、図１１に示す移動電話機の構造が移動電話機に対する限定を構成しないこと、及び移動電話機は図示されたものより多数の又は少数のコンポーネントを含んでよいこと、又は幾つかのコンポーネントを結合し、又は異なるコンポーネント配置を有してよいことを理解し得る。
【００９０】
本願の実施形態では、端末装置は、ネットワークスライスサービス領域識別子を、端末装置の位置するサービングセルに対応するサービングアクセスネットワーク装置から取得する。ここで、ネットワークスライスサービス領域識別子は、ネットワークスライスによりサービスされる領域を示すために使用される。端末装置は、ネットワークスライス構成情報及びネットワークスライスサービス領域識別子に基づき、目標セルを決定する。ここで、ネットワークスライス構成情報は、ネットワークスライス、領域、及びサービスの間の対応を含む。端末装置は、目標セルにアクセスする。したがって、目標サービスを使用している端末装置が移動すると、サービングセルが変わる場合でも、端末装置は、取得したネットワークスライス構成情報及び取得したネットワークスライスサービス領域識別子に基づき目標セルを決定し、目標セル内で目標サービスを享受し続けることができ、その結果、サービス連続性が保証される。
【００９１】
さらに、サービングアクセスネットワーク装置は、目標ネットワーク装置へ接続指示を送信する。ここで、接続指示は、端末装置に接続するよう目標ネットワーク装置に指示するために使用される。サービングアクセスネットワーク装置は、目標ネットワークスライスサービス領域識別子を端末装置へ送信する。ここで、目標ネットワークスライスサービス領域識別子は、目標領域を示すために使用される。その結果、端末装置は、目標領域、目標サービス、及び予め取得されたネットワークスライス構成情報に基づき、目標ネットワーク装置を決定し、目標ネットワークによりサービスされる目標セルにアクセスする。したがって、目標サービスを使用している端末装置が移動するとき、サービングセルが変わる場合でも、端末装置は、取得したネットワークスライス構成情報及び取得したネットワークスライスサービス領域識別子に基づき目標セルを決定し、目標セル内で目標サービスを享受し続けることができ、その結果、サービス連続性が保証される。
【００９２】
理解を容易にするために、以下は、本願の実施形態における特定の手順を記載する。端末装置は、ネットワークスライス情報を異なる方法で取得し、該方法は以下に別個に記載される。
【００９３】
Ｉ．端末装置は、関連情報をコアネットワーク及びサービングアクセスネットワーク装置から別個に取得する。
【００９４】
図２を参照すると、本願の一実施形態における目標セルアクセス方法の一実施形態は以下のステップを含む。
【００９５】
２０１．端末装置は、ネットワークスライスサービス領域識別子を、端末装置の位置するサービングセルに対応するサービングアクセスネットワーク装置から取得する。ここで、ネットワークスライスサービス領域識別子は、ネットワークスライスによりサービスされる領域を示すために使用される。
【００９６】
幾つかの実現可能な実施形態では、サービングアクセスネットワーク装置は、さらに、ネットワークスライスサービス領域識別情報を端末装置へ送信してよい。留意すべきことに、サービングアクセスネットワーク装置により格納されたネットワークスライスサービス領域識別子は、運用、管理、及び保守（Operation  And  Management、ＯＡＭ）エンティティのようなネットワーク管理システムにより予め構成されてよく、又はアプリケーション層機能エンティティにより予め構成されてよい。これはここで限定されない。留意すべきことに、端末装置は、１つ以上のネットワークスライスサービス領域識別子を取得してよい。これはここで限定されない。
【００９７】
さらに、幾つかの実現可能な実施形態では、ネットワークスライスサービス領域識別情報は、無線リソース制御（Radio  Resource  Control、ＲＲＣ）メッセージを用いて送信されたシステムメッセージであってよく、システムメッセージは、既存のシステムメッセージブロックに新たに追加されたフィールドとして含まれてよく、又は新しいシステムメッセージブロックとして使用され及び端末装置へ送信されてよい。これはここで限定されない。ネットワークスライスサービス領域識別情報は、代替として、ＲＲＣメッセージを用いて送信される、端末装置に対する専用メッセージであってよく、該端末装置のみが、該メッセージを正しく受信し復号できる。その結果、この場合、別の端末装置は該メッセージを受信できない。
【００９８】
さらに、幾つかの実現可能な実施形態では、ネットワークスライスサービス領域識別情報に含まれる少なくとも１つのネットワークスライス識別子は、優先度、つまりネットワークスライスサービス領域優先度に基づきソートされてよい。ネットワークスライスサービス領域優先度は、ネットワークスライスサービス領域識別子に対応する優先度を示すために使用される。例えば、ネットワークスライスサービス領域Ａの優先度は、ネットワークスライスサービス領域Ｂの優先度より高い。
【００９９】
さらに、幾つかの実現可能な実施形態では、ネットワークスライスサービス領域識別子は、ネットワークスライスのカバレッジ領域を示してよく、ネットワークスライスは１つのＰＬＭＮ内のセルグループをカバーしてよい。各セルは、１つ以上のネットワークスライスサービス領域に属してよい。ネットワークスライスサービス領域識別子は、ネットワークスライスがＰＬＭＮ全体の中の全てのセルをカバーすることを更に示してよい。
【０１００】
さらに、ネットワークスライスサービス領域識別子は、特定の所定値であってよく、又はセル識別子グループ、サービングアクセスネットワーク装置識別子グループ、又は追跡領域（tracking  area、ＴＡ）ＴＡ識別子リストであってよい。
【０１０１】
さらに、幾つかの実現可能な実施形態では、ネットワークスライスサービス領域識別子を受信した後に、端末装置は、識別子に対応するネットワークスライスのカバレッジ領域を決定してよく、ネットワークスライスにより提供され得るサービス又はサービス種別を決定してよい。
【０１０２】
さらに、幾つかの実現可能な実施形態では、ネットワークスライスサービス領域識別情報は、限定ではないが、以下の関連情報：セルによりサポートされる同じ周波数リスト又は異なる周波数リスト内の各周波数の周波数チャネル番号に関する情報；周波数チャネル番号によりサポートされるネットワークスライスサービス領域識別子；を含む。ここで、ネットワークスライスサービス領域識別子は、ネットワークスライスサービス領域を一意に識別するために使用され、領域はセクタ、ビーム、セル、追跡領域、ページング領域、サービングアクセスネットワーク装置局、送受信点（Transmission  and  Reception  Point、ＴＲＰ）、分散ユニット（Distributed  Unit、ＤＵ）、中央ユニット（Central  Unit、ＣＵ）、等であってよい。これはここで限定されない。
【０１０３】
幾つかの実現可能な実施形態では、近隣セルによりサポートされる同じ周波数リスト又は異なる周波数リストの中の各周波数の周波数チャネル番号に関する情報、及び周波数チャネル番号によりサポートされるネットワークスライスサービス領域識別子は、ネットワークスライスサービス領域を一意に識別するために使用される。領域は、セクタ、ビーム、セル、追跡領域、ページング領域、サービングアクセスネットワーク装置局、ＴＲＰ、ＤＵ、ＣＵ、等であってよい。これはここで限定されない。
【０１０４】
留意すべきことに、サービングアクセスネットワーク装置の多くの分割されたセルが存在し得る。例えば、基地局は、多くのアンテナを有し、各アンテナはセクタ形状のセルを形成してよい。端末装置がアクセスするセル、及び該セルに関する情報は、ここに含まれる。
【０１０５】
２０２．端末装置は、ネットワークスライス構成情報及びネットワークスライスサービス領域識別子に基づき、目標セルを決定する。ここで、ネットワークスライス構成情報は、ネットワークスライス、領域、及びサービスの間の対応を含む。
【０１０６】
幾つかの実現可能な実施形態では、端末装置は、受信したネットワークスライス構成情報、及び受信したネットワークスライスサービス領域識別情報を、セル選択及び再選択の基準として使用してよい。さらに、サービス、サービス種別、及び／又はネットワークスライスによりサービスされている端末装置では、端末装置は、サービスを提供可能な現在留まっているセルの識別子及び／又は現在留まっているセルの周波数及び周波数チャネル番号を最高優先度に設定してよい。セル再選択を実行するとき、端末装置は、優先的に、セル識別子に対応するセル、及び／又は周波数及び周波数チャネル番号に対応するセルを、再選択してよい。
【０１０７】
さらに、サービス、サービス種別、及び／又はネットワークスライスによりサービスされる必要のある端末装置では、端末装置がサービス、サービス種別、及び／又はネットワークスライスによりサービスされることを期待するとき、端末装置は、サービスを向上可能な現在留まっているセルの識別子及び／又は現在留まっているセルの周波数及び周波数チャネル番号を最高優先度に設定してよい。セル再選択を実行するとき、端末装置は、優先的に、周波数及びセル識別子に対応するセル、及び／又は周波数チャネル番号に対応するセルを、再選択してよい。
【０１０８】
さらに、端末装置により要求されるサービス、サービス種別、及び／又はネットワークスライスが存在しない、例えば、セッションが終了したとき、端末装置は、もはや、サービスを向上可能な現在留まっているセルの周波数及び周波数チャネル番号を最高優先度に設定しない。
【０１０９】
２０３．端末装置は、目標セルにアクセスする。
【０１１０】
２０４．端末装置は、コアネットワークからネットワークスライス構成情報を取得する。
【０１１１】
任意で、図２．１を参照すると、本実施形態は、ステップ２０４を更に含んでよく、ステップ２０４はステップ２０１の前に実行される。
【０１１２】
本願の本実施形態では、追跡領域（Tracking  Area、ＴＡ）の識別子は、各セルに予め割り当てられてよく、例えばセル１のＴＡ識別子はＴＡ１である。異なるネットワークスライスは異なるサービス範囲を有する。例えば、ネットワークスライス１はＴＡ１、ＴＡ２及びＴＡ３をカバーする必要があり、ネットワークスライス２はＴＡ２、ＴＡ４及びＴＡ５をカバーする必要があり、ネットワークスライス３はＴＡ６のみをカバーする。これはここで限定されない。
【０１１３】
本願の本実施形態では、端末装置は、コアネットワーク又はアプリケーション層若しくはサービス層に関連する機能エンティティにより送信されたネットワークスライス構成情報を受信してよい。ここで、ネットワークスライス構成情報は、ネットワークスライスとサービスとの間の対応を含む。具体的に、例えば、ネットワークスライス構成情報は、ネットワークスライス１がサービス１、サービス２、及びサービス３を提供可能であり、ネットワークスライス２がサービス３、サービス４、及びサービス５を提供可能であることを示す。
【０１１４】
任意で、幾つかの実現可能な実施形態では、ネットワークスライス構成情報は、端末装置の装置記憶又は加入者識別モジュール（Subscriber  Identification  Module、ＳＩＭ）カードの記憶ユニット内に予め構成されてよく、或いは、非アクセスストラタム（Non−access、ＮＡＳ）メッセージを用いて構成メッセージが端末装置へ送信されてよく、端末装置は受信したネットワークスライス構成情報を格納する。
【０１１５】
さらに、幾つかの実現可能な実施形態では、ネットワークスライス構成情報は、限定ではないが、以下の関連情報：サービス、例えばビデオ、スポーツ番組若しくはテレビチャネル、又は、サービス、チャネル若しくはサービス種別を示すために使用される、１つ以上のサービスに対応するサービス種別、例えば一時的移動体グループ識別子（Temporary  Mobile  Group  Identity、ＴＭＧＩ）のようなビデオ型サービスに対応する識別子；サービスが開始する又は終了する時間を示すために使用される、サービス又はサービス種別に対応するセッションが開始する及び／又は終了する時間；サービス又はサービス種別が唯一又は少なくともサービスを提供可能な周波数又は周波数チャネル番号を示すために使用される、サービス又はサービス種別に対応する周波数情報；サービス又はサービス種別に対応するネットワークスライスサービス領域識別子、ここでサービスは１つ以上のネットワークスライスサービス領域識別子に対応してよく、サービスはネットワークスライスサービス領域識別子に対応するセル内でのみ享受され得る；サービス又はサービス種別に対応するネットワークスライス識別情報；並びに、ネットワークスライスに割り当てられ且つネットワークスライス識別情報により示されるネットワークスライス識別子；を更に含んでよい。
【０１１６】
サービス又はサービス種別に対応するネットワークスライス識別情報は、限定ではないが、ネットワークスライス種別、例えば拡張モバイルブロードバンド（enhanced  Mobile  Broadband、ｅＭＢＢ）、超高信頼及び低遅延通信（Ultra−Reliable  Low  Latency  Communications、ＵＲＬＬＣ）、又はマッシブ機械型通信（Massive  Machine  Type  Communication、ｍＭＴＣ）、を示す情報のようなネットワークスライス種別、ここでネットワークスライス種別は、更に、ＲＡＮ及びＣＮを含むエンド・ツー・エンド・ネットワークスライス種別であってよく、又はサービングアクセスネットワーク装置のネットワークスライス種別若しくはコアネットワークのネットワークスライス種別であってよい；サービス特徴若しくは特定サービス、例えばビデオサービス、車のインターネットサービス、若しくは音声サービスを示す情報のような特定サービスに関連するサービス種別；ネットワークスライスを確立している又はリースしている顧客、例えばＴｅｎｃｅｎｔ又はＳｔａｔｅ  Ｇｒｉｄに関する情報を示すために使用されるテナント（Tenant）情報；ユーザがユーザのレベルのような特徴に基づきグループ化されるグループに関する情報を示すために使用される端末装置グループ情報；端末装置が特徴に基づきアクセスし得るインスタンス識別子を示すために使用される、又はインスタンス識別子及び特徴情報を示すために使用される、スライスグループ情報、例えば識別子はネットワークスライスインスタンスに割り当てられ、ネットワークスライスインスタンスを示すために使用される、又は新しい識別子がネットワークスライスインスタンス識別子に基づきマッピングされ、識別子がネットワークスライスインスタンスに関連付けられ、受信機が識別子に基づき提示された特定のネットワークスライスインスタンスを識別してよい；並びに、専用コアネットワーク（Dedicated  Core  Network、ＤＣＮ）識別子、ここで識別子は専用コアネットワーク、例えばモノのインターネットの専用コアネットワークを一意に示すために使用され、任意で、ＤＣＮ識別子とネットワークスライス識別子との間にマッピング関係が存在してよく、ネットワークスライス識別子はマッピングされたＤＣＮ識別子に基づき取得されてよく、ＤＣＮ識別子はマッピングされたネットワークスライス識別子に基づき取得されてよい；を含んでよい。幾つかの実現可能な実施形態では、ネットワークスライス構成情報は、他の所要情報を更に含んでよい。これはここで限定されない。
【０１１７】
留意すべきことに、ネットワークスライス構成情報を受信した後に、端末装置は、対応する周波数チャネル番号及び帯域幅のような情報を取得するために、ネットワークスライス構成情報を格納し、接続されたサービス・アクセスネットワーク装置と同期し、例えば１次同期信号及び２次同期信号に対する検出を実行し、時間ドメイン及び周波数ドメインにおいて修正を実行してよい。言い換えると、端末装置は、時間ドメイン及び周波数ドメインの両方において、サービングアクセスネットワーク装置と同期する。例えば、基地局が情報を送信する必要のあるとき、端末装置は、情報が送信される正確な時点を取得する必要がある。幾つかの実現可能な実施形態では、端末装置は、端末装置がＲＡＮとの通信を開始する前に、ＲＡＮと同期する必要がある。
【０１１８】
ＩＩ．端末装置は、コアネットワークから関連情報を取得する。
【０１１９】
３０１．端末装置は、コアネットワークへ要求メッセージを送信する。ここで、要求メッセージは、ネットワークスライス構成情報を要求するために使用される。
【０１２０】
幾つかの実現可能な実施形態では、端末装置は、サービングアクセスネットワーク装置へのネットワーク接続、例えばＲＲＣ接続を確立してよい。ネットワーク接続が確立された後に、端末装置は、サービングアクセスネットワーク装置とのアップリンク及びダウンリンクデータ通信を実行し、サービングアクセスネットワーク装置を用いて、サービングアクセスネットワーク装置にサービスするコアネットワークとのアップリンク及びダウンリンクデータ通信を実行してよい。
【０１２１】
任意で、幾つかの実現可能な実施形態では、端末装置はコアネットワークへ要求メッセージを送信する。幾つかの実現可能な実施形態では、メッセージは、ＮＡＳメッセージ、例えば：ＣＮにアタッチ又は登録するよう端末装置に要求するために使用されるアタッチ要求；ＣＮとのサービスを確立するよう端末装置に要求するために使用されるサービス要求；ＣＮとのセッションを確立するよう端末装置に要求するために使用されるセッション（Session）確立要求；又は端末装置が現在の追跡領域の外へ移動すると追跡領域を更新するよう端末装置及びＣＮに要求するために使用される追跡領域更新要求；であってよい。
【０１２２】
幾つかの実現可能な実施形態では、要求メッセージは、ＲＲＣメッセージ、例えば：サービングアクセスネットワーク装置のネットワーク要素へのＲＲＣ接続を確立するよう要求するために使用されるＲＲＣ接続設定要求；サービングアクセスネットワーク装置のネットワーク要素へのＲＲＣ接続を再確立するよう要求するために使用されるＲＲＣ接続再確立要求；サービングアクセスネットワーク装置のネットワーク要素へのＲＲＣ接続を確立する処理が完了したことを示すために使用されるＲＲＣ接続設定完了；又は、サービングアクセスネットワーク装置に端末装置の能力情報を通知するために使用される端末装置の能力情報送信；であってよい。これはここで限定されない。
【０１２３】
さらに、要求メッセージは、限定ではないが、以下の情報：コアネットワークにより端末装置に割り当てられ及びネットワーク要素に接続された端末装置を一意に示すために使用される、端末装置の一時識別子；グローバルにユニークな方法でサービングアクセスネットワーク装置を識別するために使用される、サービングアクセスネットワーク装置識別子；グローバルにユニークな方法でセルを識別するために使用される、セル識別子；ネットワークスライス識別子；又は、サービングアクセスネットワーク装置及び／又はセルによりサポートされるネットワークスライスサービス領域識別子を配信するようコアネットワークに要求するために使用される、ネットワークスライスサービス領域識別情報要求；を含んでよい。幾つかの実現可能な実施形態では、要求メッセージは、上述のメッセージに限定されず、及びここで限定されない。
【０１２４】
３０２．端末装置は、コアネットワークからネットワークスライス構成情報を受信する。
【０１２５】
幾つかの実現可能な実施形態では、コアネットワークは、端末装置にメッセージにより応答してよく、メッセージはネットワークスライス情報を含む。さらに、メッセージは、ＮＡＳメッセージ、例えば：ＣＮが端末装置のアタッチ要求を許可することを示すために使用される、アタッチ許可；ＣＮが端末装置のサービス要求を許可することを示すために使用される、サービス要求許可；又は、ＣＮが端末装置のためにセッションを確立したことを示すために使用される、セッション確立；であってよい。
【０１２６】
さらに、メッセージは、限定ではないが、以下の情報：グローバルにユニークな方法でサービングアクセスネットワーク装置を識別するために使用される、サービングアクセスネットワーク装置識別子；又は、サービングセル及び近隣セルによりサポートされる全周波数又は周波数チャネル番号のリストの中でサポートされるネットワークスライスサービス領域識別情報のような、サービングセル又は近隣セルによりサポートされるネットワークスライスサービス領域識別情報；を含む。幾つかの実現可能な実施形態では、メッセージは、他の所要情報を更に含んでよい。これはここで限定されない。端末装置は、受信したネットワークスライス情報を格納してよく、ネットワークスライス情報は、ネットワークスライスサービス領域識別情報を含む。
【０１２７】
３０３．端末装置は、ネットワークスライス構成情報及びネットワークスライスサービス領域識別子に基づき、目標セルを決定する。ここで、ネットワークスライス構成情報は、ネットワークスライス、領域、及びサービスの間の対応を含む。
【０１２８】
３０４．端末装置は、目標セルにアクセスする。
【０１２９】
本実施形態では、ステップ３０３及びステップ３０４は、前述の実施形態のステップ２０３及びステップ２０４と同じであり、詳細はここで記載されない。
【０１３０】
ＩＩＩ．端末装置は、サービングアクセスネットワーク装置から関連情報を取得する。
【０１３１】
４０１．端末装置は、サービングアクセスネットワーク装置へ指示メッセージを送信する。ここで、指示メッセージは、ネットワークスライスに対する要件を示すために使用される。
【０１３２】
本態様の本実施形態では、端末装置は、サービングアクセスネットワーク装置にネットワークスライス要件情報を通知する。その結果、サービングアクセスネットワーク装置は、モビリティを向上するために、ネットワークスライスに対する端末装置の要件を検知する。
【０１３３】
本願の本実施形態では、端末装置は、対応する周波数チャネル番号及び帯域幅のような情報を取得するために、先ず、サービングアクセスネットワーク装置と同期し、例えば１次同期信号及び２次同期信号に対する検出を実行し、時間ドメイン及び周波数ドメインにおいて修正を実行してよい。
【０１３４】
次に、端末装置は、ネットワークスライスに対する端末装置の要件に関する情報を示すために、指示メッセージをサービングアクセスネットワーク装置へ送信する。さらに、メッセージは、特定のランダムアクセスプリアンブル（Preamble）又は特定のランダムアクセス時間周波数リソースのようなランダムアクセスリソースを用いて送信されてよい。メッセージは、代替として、ＭＡＣ制御要素（Control  Element）メッセージであってよく、メッセージはＲＲＣメッセージ、例えば：サービングアクセスネットワーク装置のネットワーク要素へのＲＲＣ接続を確立するよう要求するために使用されるＲＲＣ接続設定要求；サービングアクセスネットワーク装置のネットワーク要素へのＲＲＣ接続を再確立するよう要求するために使用されるＲＲＣ接続再確立要求；サービングアクセスネットワーク装置のネットワーク要素へのＲＲＣ接続を確立する処理が完了したことを示すために使用されるＲＲＣ接続設定完了；又は、サービングアクセスネットワーク装置に端末装置の能力情報を通知するために使用される端末装置の能力情報送信；であってよい。これはここで限定されない。
【０１３５】
さらに、指示メッセージは、限定ではないが、以下のメッセージ：端末装置にサービスしているネットワークスライスのサービス領域識別子；端末装置にサービスしているネットワークスライスのサービス領域識別子に対応する周波数又は周波数チャネル番号に関する情報；端末装置により要求されるネットワークスライスのサービス領域識別子；端末装置により要求されるネットワークスライスのサービス領域識別子に対応する周波数又は周波数チャネル番号に関する情報；及び、ネットワークスライスサービス領域識別子に対応する優先度を示すために使用される、ネットワークスライスサービス領域優先度、例えばネットワークスライスＡの優先度はネットワークスライスＢの優先度より高い；を含んでよい。
【０１３６】
本願の本実施形態では、サービングアクセスネットワーク装置は、指示情報を格納してよい。任意で、アクセスネットワーク側のネットワーク要素は、ハンドオーバ準備のために、ネットワークスライスに対する端末装置の要件能力に関する情報を取得してよい。これはここで限定されない。
【０１３７】
４０２．端末装置は、ネットワークスライスサービス領域識別子を、端末装置の位置するサービングセルに対応するサービングアクセスネットワーク装置から取得する。ここで、ネットワークスライスサービス領域識別子は、ネットワークスライスによりサービスされる領域を示すために使用される。
【０１３８】
４０３．端末装置は、ネットワークスライス構成情報及びネットワークスライスサービス領域識別子に基づき、目標セルを決定する。ここで、ネットワークスライス構成情報は、ネットワークスライス、領域、及びサービスの間の対応を含む。
【０１３９】
４０４．端末装置は、目標セルにアクセスする。
【０１４０】
本実施形態では、ステップ４０２〜ステップ４０４は、前述の実施形態のステップ２０２〜ステップ２０４と同じであり、詳細はここで記載されない。
【０１４１】
以上は、本発明の実施形態において端末装置によりネットワークスライス情報を取得する方法の異なる実施形態を別個に記載した。以下は、本発明の実施形態においてネットワーク装置間のネットワークスライス情報交換を記載する。ネットワーク装置は、ネットワークスライス情報を異なる方法で交換し、該方法は以下に別個に記載される。
【０１４２】
１．サービングアクセスネットワーク装置は、ネットワークスライス情報を目標ネットワーク装置へ送信する。
【０１４３】
本願の実施形態では、２つのサービングアクセスネットワーク装置が、ネットワークスライス情報を交換してよい。その結果、第１サービングアクセスネットワーク装置は、第２サービングアクセスネットワーク装置のスライスカバレッジ情報を知る。図５を参照すると、本願の一実施形態における目標セルアクセス方法の別の実施形態は以下のステップを含む。
【０１４４】
５０１．サービングアクセスネットワーク装置は、目標ネットワーク装置へ接続指示を送信する。ここで、接続指示は、端末装置に接続するよう目標ネットワーク装置に指示するために使用される。
【０１４５】
本願の本実施形態では、サービングアクセスネットワーク装置はサービングアクセスネットワーク装置を含み、目標ネットワーク装置はサービングアクセスネットワーク装置又はコアネットワークを含む。サービングアクセスネットワーク装置が第１サービングアクセスネットワーク装置であり、目標ネットワーク装置が第２ＲＡＮネットワーク要素であるとき、幾つかの実現可能な実施形態では、サービングアクセスネットワーク装置は、目標ネットワーク装置に対するインタフェース確立要求を開始する。インタフェース確立要求は、ネットワークスライス情報を含み、２つの接続されたサービングアクセスネットワーク装置のアプリケーション側で構成を交換するために使用される。さらに、メッセージは、限定ではないが、以下の情報：サービングアクセスネットワーク装置をグローバルにユニークな方法で識別するために使用される、サービングアクセスネットワーク装置識別子；サービングセル及び各サービングセルの近隣セルに関する情報、例えばサービングセル及び各サービングセルの近隣セルにそれぞれ対応する、セル識別子、物理セル識別子、周波数チャネル番号に関する情報、追跡領域コード、及びサポートされるネットワークスライスサービス領域識別情報；又は、ネットワークスライスサービス領域識別子に対応する優先度を示すために使用される、ネットワークスライスサービス領域優先度、例えばネットワークスライスサービス領域Ａの優先度はネットワークスライスサービス領域Ｂの優先度より高い；を含む。
【０１４６】
５０２．目標ネットワーク装置は、２つの接続されたサービングアクセスネットワーク装置のアプリケーション側で構成を交換するために、インタフェース確立要求応答をサービングアクセスネットワーク装置へ送信してよい。
【０１４７】
さらに、メッセージは、限定ではないが、以下の情報：サービングアクセスネットワーク装置をグローバルにユニークな方法で識別するために使用される、サービングアクセスネットワーク装置識別子；サービングセル及び各サービングセルの近隣セルに関する情報、例えばサービングセル及び各サービングセルの近隣セルにそれぞれ対応する、セル識別子、物理セル識別子、周波数チャネル番号に関する情報、追跡領域コード、及びサポートされるネットワークスライスサービス領域識別情報；又は、ネットワークスライスサービス領域識別子に対応する優先度を示すために使用される、ネットワークスライスサービス領域優先度、例えばネットワークスライスサービス領域Ａの優先度はネットワークスライスサービス領域Ｂの優先度より高い；を含む。
【０１４８】
５０３．サービングアクセスネットワーク装置は、更新された情報を送信するために、目標ネットワーク装置に対してインタフェース構成更新を開始する。
【０１４９】
さらに、メッセージは、限定ではないが、以下の情報：サービングアクセスネットワーク装置をグローバルにユニークな方法で識別するために使用される、サービングアクセスネットワーク装置識別子；新しいセルの追加、既存セル構成の変更、又はセルの削除のような動作を実行するために使用される、サービングセル及び各サービングセルの近隣セルに関する情報の変更情報、例えばサービングセル及び各サービングセルの近隣セルにそれぞれ対応する、セル識別子、物理セル識別子、周波数チャネル番号に関する情報、追跡領域コード、及びサポートされるネットワークスライスサービス領域識別情報；又は、ネットワークスライスサービス領域識別子に対応する優先度を示すために使用される、ネットワークスライスサービス領域優先度、例えばネットワークスライスサービス領域Ａの優先度はネットワークスライスサービス領域Ｂの優先度より高い；を含む。
【０１５０】
５０４．目標ネットワーク装置は、サービングアクセスネットワーク装置の構成更新メッセージが受信されたことに肯定応答するために、サービングアクセスネットワーク装置に対してインタフェース構成更新肯定応答メッセージを開始する。
【０１５１】
任意で、目標ネットワーク装置が、サービングアクセスネットワーク装置により開始されたインタフェース構成更新コンテンツをサポートできない場合、目標ネットワーク装置は、サービングアクセスネットワーク装置の構成更新が失敗したことを示すために、失敗メッセージにより応答してよい。
【０１５２】
ネットワークスライス情報を取得した後に、端末装置は、目標領域、目標サービス及びネットワークスライス情報に基づき、目標ネットワークスライスを決定し、目標ネットワークスライスは、目標領域内で目標サービスを伝達するために使用される。端末装置が目標領域内に位置し、目標サービスを使用するとき、端末装置は、目標ネットワークスライスに関連付けられる。
【０１５３】
ＩＩ．サービングアクセスネットワーク装置は、目標ネットワーク装置へハンドオーバ要求を送信する。
【０１５４】
本願の一実施形態では、ハンドオーバ処理において、サービングアクセスネットワーク装置及び目標ネットワーク装置は、端末装置にサービスしている又は端末装置により要求されたネットワークスライスのサービス領域識別子を交換してよい。目標サービングアクセスネットワーク装置は、モビリティを最適化するために情報を考慮してよい。例えば、ハンドオーバ準備段階で、目標ＲＡＮ装置は、ハンドオーバ後の新しい目標ＲＡＮ装置として、端末装置にサービスしている又は端末装置により要求されたネットワークスライスのサービス領域識別子に対応するネットワーク装置を優先的に使用する。図６を参照すると、本願の一実施形態における目標セルアクセス方法の別の実施形態は以下のステップを含む。
【０１５５】
６０１．サービングアクセスネットワーク装置は、目標ネットワーク装置へハンドオーバ要求を送信する。ハンドオーバ要求は接続指示を含む。
【０１５６】
サービングアクセスネットワーク装置は、ハンドオーバ準備を開始するために、目標ネットワーク装置へハンドオーバ要求を送信してよい。さらに、メッセージは、限定ではないが、以下の情報：
端末装置にサービスしているネットワークスライスのサービス領域識別情報；
端末装置により要求されたネットワークスライスのサービス領域識別情報；
ネットワークスライスサービス領域識別子に対応する優先度を示すために使用されるネットワークスライスサービス領域優先度、例えばネットワークスライスサービス領域Ａの優先度は、ネットワークスライスサービス領域Ｂの優先度より高い；
今回のハンドオーバの原因を示すために使用されるハンドオーバの原因、例えば（信号又はリソース最適化により引き起こされるトリガされるハンドオーバのような）無線ネットワーク層における原因；
目標セルの識別子を一意に示すために使用される目標セル識別子；
サービングＰＬＭＮ、等価ＰＬＭＮ、禁止又は許可追跡領域のリスト、禁止又は許可セルのリスト、等を含むハンドオーバ制限リスト；
端末装置の格納されたコンテキストを検索するためにコアネットワークにより使用される、端末装置に対応する一時識別子；
端末装置に関連付けられたコアネットワーク制御機能エンティティの識別子；
端末装置により選択された１つ以上の又は全部のネットワークスライスに対応するネットワークスライス識別子；
確立される必要のある及び端末装置により選択された１つ以上の又は全部のネットワークスライスに対応するベアラの情報、例えばベアラ識別子、ベアラレベルＱｏＳ（quality  of  service）パラメータ、トンネルの終点、又はベアラレベルセキュリティ情報、例えば暗号化機能有効化オプション、ここで暗号化機能の位置はサービングアクセスネットワーク装置及び／又はコアネットワーク内にあり、ヘッダ圧縮機能有効化オプション、ここでヘッダ圧縮機能の位置はサービングアクセスネットワーク装置及び／又はコアネットワーク内にあり、又は完全性保護有効化オプション、ここで完全性保護の位置はサービングアクセスネットワーク装置及び／又はコアネットワーク内にあり；
確立される必要のある及び端末装置により選択された１つ以上の又は全部のネットワークスライスに対応するセッション情報、例えばセッション識別子、セッションレベルＱｏＳ（quality  of  service）パラメータ、トンネルの終点、又はセッションレベルセキュリティ情報、例えば暗号化機能有効化オプション、ここで暗号化機能はサービングアクセスネットワーク装置及び／又はコアネットワーク内にあり、ヘッダ圧縮機能有効化オプション、ここでヘッダ圧縮機能の位置はサービングアクセスネットワーク装置及び／又はコアネットワーク内にあり、又は完全性保護有効化オプション、ここで完全性保護の位置はサービングアクセスネットワーク装置及び／又はコアネットワーク内にあり、
確立される必要のある及び端末装置により選択された１つ以上の又は全部のネットワークスライスに対応するフローの情報、例えばフロー識別子、フローレベルＱｏＳ（quality  of  service）パラメータ、トンネルの終点、又はフローレベルセキュリティ情報、例えば暗号化機能有効化オプション、ここで暗号化機能の位置はサービングアクセスネットワーク装置及び／又はコアネットワークに位置し、ヘッダ圧縮機能有効化オプション、ここでヘッダ圧縮機能の位置はサービングアクセスネットワーク装置及び／又はコアネットワーク内にあり、又は完全性保護有効化オプション、ここで完全性保護の位置はサービングアクセスネットワーク装置及び／又はコアネットワーク内にあり、或いは、
端末装置のコンテキスト情報、例えば、ここで限定されない、端末装置により加入される１つ以上の又は全部のネットワークスライスに対応するネットワークスライス識別子；を含む。
【０１５７】
６０２．目標ネットワーク装置は、目標ネットワーク装置がリソースを準備したことを示すために、ハンドオーバ要求肯定応答により、サービングアクセスネットワーク装置に応答する。
【０１５８】
さらに、メッセージは、限定ではないが、以下の情報：
古いサービングアクセスネットワーク装置識別子；
新しいサービングアクセスネットワーク装置識別子；
ＲＲＣハンドオーバコマンドを含む、目標ノードからソースノードまでのトランスペアレントコンテナ（container）；
ネットワークスライスサービス領域識別子、許可されないベアラ、セッション及び／又はフローのリスト、及びネットワークスライスサービス領域識別子、ベアラ、セッション及び／又はフローは端末装置により選択された１つ以上の又は全部のネットワークスライスに対応する；又は、
許可されるベアラ、セッション及び／又はフローの情報、及びベアラ、セッション及び／又はフローは端末装置により選択された１つ以上の又は全部のネットワークスライスに対応し、例えば、ここで限定されない、ベアラ識別子、セッション識別子、フロー識別子、ベアラレベルＱｏＳ（quality  of  service）パラメータ、又はトンネルの終点；を含む。
【０１５９】
６０３．サービングアクセスネットワーク装置は、端末装置へハンドオーバコマンドを送信する。ハンドオーバコマンドは、目標ネットワークスライスサービス領域識別子を含む。ハンドオーバコマンドは、目標ネットワーク装置へハンドオーバするよう端末装置に指示する。
【０１６０】
サービングアクセスネットワーク装置は、ハンドオーバコマンドを伝達するために、端末装置に対してＲＲＣメッセージを開始してよい。さらに、メッセージは、限定ではないが、以下の情報：目標セルによりサポートされるネットワークスライスサービス領域識別情報；目標セル識別子；端末装置の新しい一時識別子；又はベアラ構成、例えばＰＤＣＰ、無線リンク制御（Radio  Link  Control、ＲＬＣ）プロトコル、媒体アクセス制御（Media  Access  Control、ＭＡＣ）、及び物理層上の構成；を含む。
【０１６１】
端末装置は、目標ネットワーク装置へのＲＲＣ接続を確立し、ハンドオーバが完了したことを示すために、目標ネットワーク装置に対しＲＲＣ接続再構成完了（RRC  Connection  Reconfiguration  Complete）のようなハンドオーバ完了メッセージを開始する。
【０１６２】
任意で、幾つかの実現可能な実施形態では、ＲＡＮ装置とＣＮ装置との間のインタフェースを用いるハンドオーバの処理がトリガされる必要のあるとき、例えば、いかなる直接地上側インタフェース又はいかなる無線バックホールリンクも、サービングアクセスネットワーク装置と目標ネットワーク装置との間に存在しないとき、サービングアクセスネットワーク装置は、ＣＮ装置に対しハンドオーバ要求を更に開始してよい。特定のメッセージコンテンツについては、ステップ６０１におけるハンドオーバ要求メッセージを参照し、ここで、メッセージは、ハンドオーバ準備を開始するために使用される。ＣＮ装置は、受信したメッセージを目標ネットワーク装置へ転送し、目標ネットワーク装置は、目標ネットワーク装置がリソースの準備をしたことを示すために、ハンドオーバ要求肯定応答によりＣＮ装置に応答する。特定のメッセージコンテンツについては、ステップ６０２におけるハンドオーバ要求肯定応答メッセージを参照する。次に、ＣＮ装置は、受信したメッセージをサービングアクセスネットワーク装置へ転送する。
【０１６３】
ＩＩ．サービングアクセスネットワーク装置は、目標ネットワーク装置へノード追加要求を送信する。
【０１６４】
本願の一実施形態では、２つのネットワーク装置が、端末装置にサービスしている又は端末装置により要求されたネットワークスライスのサービス領域識別子を交換してよい。ここで、サービングアクセスネットワーク装置は、複数接続動作を実行するよう目標ネットワーク装置をトリガし、又は目標ネットワーク装置に関する情報を直接変更してよい。図７を参照すると、本願の一実施形態における目標セルアクセス方法の別の実施形態は以下のステップを含む。
【０１６５】
７０１．サービングアクセスネットワーク装置は、目標ネットワーク装置へノード追加要求を送信する。ノード追加要求は接続指示を含む。
【０１６６】
サービングアクセスネットワーク装置は、端末装置のために無線リソースを割り当てるために、目標ネットワーク装置に複数接続動作を確立するよう要求するために、ノード追加要求を目標ネットワーク装置へ送信してよい。さらに、メッセージは、限定ではないが、以下の情報：
端末装置にサービスしているネットワークスライスの識別情報；
端末装置がアクセスすることを許可されるネットワークスライスの識別情報；
端末装置にサービスしているネットワークスライスのサービス領域識別情報；
端末装置により要求されたネットワークスライスのサービス領域識別情報；
ネットワークスライスサービス領域識別子に対応する優先度を示すために使用されるネットワークスライスサービス領域優先度、例えばネットワークスライスサービス領域Ａの優先度はネットワークスライスサービス領域Ｂの優先度より高い；
ネットワークスライス識別子に対応するネットワークスライスの構成情報、例えば物理ランダムアクセスチャネル（Physical  Random  Access  Control、ＲＰＡＣＨ）構成、ランダムアクセスプリアンブル構成、セキュリティに関する構成、又は無線リソース管理に関する構成、ここでは限定されない；
端末装置によりサポートされる暗号化アルゴリズム及び完全性保護アルゴリズムを示すために使用される、端末装置のセキュリティ能力；
端末装置のためにデータ暗号化を実行するために目標ネットワーク装置により使用される、目標ネットワーク装置のセキュリティ鍵；
アップリンク統合最大ビットレート及びダウンリンク統合最大ビットレートを含む、目標ネットワーク装置に適用可能な端末装置の統合最大ビットレート；
目標ネットワーク装置により確立される必要のある無線ベアラに対応するＰＬＭＮを示すために使用される、サービングＰＬＭＮ；
確立される必要のある及び端末装置により選択された１つ以上の又は全部のネットワークスライスに対応するベアラの情報、セッション情報、及び／又はフロー情報、例えば、マスタセルグループベアラ（Master  cell  group  bearer）、２次セルグループベアラ（Secondary  cell  group  bearer）、又は分割ベアラ（Split  bearer）のようなベアラ種別、ベアラ識別子、ベアラに対応するサービス品質に関する情報、トンネルの終点、セッション識別子、フロー識別子、セッションに対応するサービス品質に関する情報、フローに対応するサービス品質に関する情報、ベアラレベル、セッションレベル、又はフローレベルのセキュリティに関する情報、例えば暗号化機能有効化オプション、ここで暗号化機能の位置はサービングアクセスネットワーク装置及び／又はコアネットワーク内にあり、ヘッダ圧縮機能有効化オプション、ここでヘッダ圧縮機能の位置はサービングアクセスネットワーク装置及び／又はコアネットワーク内にあり、又は完全性保護有効化オプション、ここで完全性保護の位置はサービングアクセスネットワーク装置及び／又はコアネットワーク内にあり；又は、
サービングＰＬＭＮ、等価ＰＬＭＮ、禁止若しくは許可追跡領域のリスト、禁止若しくは許可セルのリスト、等を含むが、ここでは限定されない、ハンドオーバ制限リスト；を含む。
【０１６７】
７０２．目標ネットワーク装置は、目標ネットワーク装置がリソースを準備したことを示すために、サービングアクセスネットワーク装置追加要求肯定応答を、サービングアクセスネットワーク装置に応答する。
【０１６８】
さらに、メッセージは、限定ではないが、以下の情報：許可されないベアラ、セッション及び／又はフローのリスト、及びベアラ、セッション及び／又はフローは端末装置により選択された１つ以上の又は全部のネットワークスライスに対応する；許可されるベアラ、セッション及び／又はフローの情報、及び端末装置により選択された１つ以上の又は全部のネットワークスライスに対応するベアラ、セッション及び／又はフロー、例えば、ベアラ識別子、セッション識別子、フロー識別子、ベアラレベルＱｏＳ（quality  of  service）パラメータ、又はトンネルの終点；又は、目標ネットワーク装置により生成されたベアラ構成情報を含む、目標ノードからソースノードまでのトランスペアレントコンテナ（container）；を含む。
【０１６９】
さらに、目標ネットワーク装置が任意の受信したネットワークスライス、無線ベアラ、セッション、フローなどをサポートできない、又は処理中にエラーが生じた場合、目標ネットワーク装置は、原因、例えばネットワークスライス、無線ベアラ、セッション、フローなどがサポート可能ではないこと、を伝達する拒否メッセージで応答する。
【０１７０】
７０３．サービングアクセスネットワーク装置は、端末装置へ接続再構成メッセージを送信する。接続再構成メッセージは、目標ネットワークスライスサービス領域識別子を含む。接続再構成メッセージは、目標ネットワーク装置に接続するよう端末装置に指示するために使用される。
【０１７１】
幾つかの実現可能な実施形態では、サービングアクセスネットワーク装置は、ＲＲＣ接続再構成メッセージを端末装置に対して開始してよい。ＲＲＣ接続再構成メッセージは、受信したメッセージに基づき無線リソース構成を実行するよう端末装置に指示するために使用される無線リソース構成情報を伝達する。さらに、メッセージは、限定ではないが、以下の情報：目標ネットワーク装置によりサポートされるネットワークスライスサービス領域識別子；目標セル識別子；端末装置の新しい一時識別子；又はベアラ構成、例えばＰＤＣＰ、ＲＬＣ、ＭＡＣ、及び物理層上の構成；を含む。
【０１７２】
７０４．端末装置は、端末装置が無線リソース構成を完了したことを示すために、サービングアクセスネットワーク装置にＲＲＣ接続再構成完了で応答する。
【０１７３】
７０５．サービングアクセスネットワーク装置は、端末装置が無線リソース構成を完了したことを示すために、サービングアクセスネットワーク装置構成完了を目標ネットワーク装置へ送信する。
【０１７４】
ＩＶ．サービングアクセスネットワーク装置は、目標ネットワーク装置へサービングアクセスネットワーク装置変更要求を送信する。
【０１７５】
８０１．サービングアクセスネットワーク装置は、目標ネットワーク装置へノード変更要求を送信する。ここで、ノード変更要求は、端末装置に対する目標ネットワーク装置の無線リソース構成を変更するよう目標ネットワーク装置に指示するために使用される。
【０１７６】
幾つかの実現可能な実施形態では、２つのネットワーク装置が、端末装置にサービスしている又は端末装置により要求されたネットワークスライスのサービス領域識別子を交換してよく、１次サービングアクセスネットワーク装置は、現在の複数接続動作を変更するよう２次サービングアクセスネットワーク装置をトリガする。具体的に、サービングアクセスネットワーク装置は、目標ネットワーク装置に端末装置の現在のコンテキスト情報及び端末装置のために目標ネットワーク装置により準備された無線リソース割り当てを変更するよう要求するために、目標ネットワーク装置に対してサービングアクセスネットワーク装置変更要求を開始する。さらに、メッセージは、限定ではないが、以下の情報：
端末装置にサービスしているネットワークスライスの識別情報；
端末装置がアクセスすることを許可されるネットワークスライスの識別情報；
端末装置にサービスしているネットワークスライスのサービス領域識別情報；
端末装置により要求されたネットワークスライスのサービス領域識別情報；
ネットワークスライスサービス領域識別子に対応する優先度を示すために使用されるネットワークスライスサービス領域優先度、例えばネットワークスライスサービス領域Ａの優先度はネットワークスライスサービス領域Ｂの優先度より高い；
２次セルグループベアラが変更される必要があるか否かを示すために使用される２次セルグループベアラ変更指示；
端末装置によりサポートされる暗号化アルゴリズム及び完全性保護アルゴリズムを示すために使用される、端末装置のセキュリティ能力；
端末装置に対しデータ暗号化を実行するために目標ネットワーク装置により使用される、目標ネットワーク装置のセキュリティ鍵；
アップリンク統合最大ビットレート及びダウンリンク統合最大ビットレートを含む、目標ネットワーク装置に適用可能な端末装置の統合最大ビットレート；
確立、変更、又は解放される必要のある及び端末装置により選択された１つ以上の又は全部のネットワークスライスに対応するベアラの情報、セッション情報、及び／又はフロー情報、例えば、マスタセルグループベアラ（Master  cell  group  bearer）、２次セルグループベアラ（Secondary  cell  group  bearer）、分割ベアラ（Split  bearer）のようなベアラ種別、ベアラ識別子、ベアラに対応するサービス品質に関する情報、トンネルの終点、セッション識別子、フロー識別子、セッションに対応するサービス品質に関する情報、フローに対応するサービス品質に関する情報、ベアラレベル、セッションレベル、又はフローレベルのセキュリティに関する情報、例えば暗号化機能有効化オプション、ここで暗号化機能の位置はサービングアクセスネットワーク装置及び／又はコアネットワーク内にあり、ヘッダ圧縮機能有効化オプション、ここでヘッダ圧縮機能の位置はサービングアクセスネットワーク装置及び／又はコアネットワーク内にあり、又は完全性保護有効化オプション、ここで完全性保護の位置はサービングアクセスネットワーク装置及び／又はコアネットワーク内にあり；又は、
サービングＰＬＭＮ、等価ＰＬＭＮ、禁止若しくは許可追跡領域のリスト、禁止若しくは許可セルのリスト、等を含む、ハンドオーバ制限リスト；を含む。これはここで限定されない。
【０１７７】
８０２．目標ネットワーク装置は、目標ネットワーク装置の変更要求に肯定応答するために、サービングアクセスネットワーク装置にサービングアクセスネットワーク装置変更要求肯定応答により応答する。
【０１７８】
さらに、メッセージは、限定ではないが、以下の情報：許可されないベアラ、セッション及び／又はフローのリスト、及びベアラ、セッション及び／又はフローは端末装置により選択された１つ以上の又は全部のネットワークスライスに対応する；許可されるベアラ、セッション及び／又はフローの情報、及びベアラ、セッション及び／又はフローは端末装置により選択された１つ以上の又は全部のネットワークスライスに対応し、例えば、追加、変更、又は解放される必要のある許可ベアラ情報、許可セッション情報、及び／又は許可フロー情報、ベアラ識別子、セッション識別子、フロー識別子、ベアラレベルＱｏＳ（quality  of  service）パラメータ、又はトンネルの終点；又は、目標ネットワーク装置により生成されたベアラ構成情報を含む、目標ノードからソースノードまでのトランスペアレントコンテナ（container）；を含む。さらに、目標ネットワーク装置が任意の受信したネットワークスライス、無線ベアラ、セッション、フローなどをサポートできない、又は処理中にエラーが生じた場合、目標ネットワーク装置は、原因、例えばネットワークスライス、無線ベアラ、セッション、フローなどがサポート可能ではないこと、を伝達する拒否メッセージで応答する。これはここで限定されない。
【０１７９】
８０３．サービングアクセスネットワーク装置は、接続再構成メッセージを端末装置へ送信する。ここで、接続再構成メッセージは、無線リソース構成を含む。
【０１８０】
さらに、メッセージは、限定ではないが、以下の情報：目標ネットワーク装置によりサポートされるネットワークスライスサービス領域識別子；目標セル識別子；端末装置の新しい一時識別子；又はベアラ構成、例えばＰＤＣＰ、ＲＬＣ、ＭＡＣ、及び物理層上の構成；を含む。
【０１８１】
８０４．端末装置は、端末装置が無線リソース構成を完了したことを示すために、サービングアクセスネットワーク装置に接続再構成完了で応答する。
【０１８２】
８０５．サービングアクセスネットワーク装置は、端末装置が無線リソース構成を完了したことを示すために、サービングアクセスネットワーク装置構成完了を目標ネットワーク装置へ送信する。
【０１８３】
Ｖ．サービングアクセスネットワーク装置は、目標ネットワーク装置により送信されたノード変更要求を受信する。
【０１８４】
９０１．サービングアクセスネットワーク装置は、目標ネットワーク装置により送信されたノード変更要求を受信する。
【０１８５】
幾つかの実現可能な実施形態では、２つのネットワーク装置が、端末装置にサービスしている又は端末装置により要求されたネットワークスライスのサービス領域識別子を交換してよく、２次サービングアクセスネットワーク装置は、現在の複数接続動作の変更を開始する。具体的に、サービングアクセスネットワーク装置は、無線リソースを解放し、１次サービングセルを変更し、パケットデータコンバージェンスプロトコル（Packet  Data  Convergence  Protocol、ＰＤＣＰ）シーケンス番号を反転すること、等をトリガするために、目標ネットワーク装置に対してノード変更要求を開始してよい。
【０１８６】
さらに、メッセージは、限定ではないが、以下の情報：
端末装置にサービスしているネットワークスライスの識別情報；
端末装置がアクセスすることを許可されるネットワークスライスの識別情報；
端末装置にサービスしているネットワークスライスのサービス領域識別情報；
端末装置により要求されたネットワークスライスのサービス領域識別情報；
ネットワークスライスサービス領域識別子に対応する優先度を示すために使用されるネットワークスライスサービス領域優先度、例えばネットワークスライスサービス領域Ａの優先度はネットワークスライスサービス領域Ｂの優先度より高い；
２次セルグループベアラが変更される必要があるか否かを示すために使用される２次セルグループベアラ変更指示；
解放される必要のある及び端末装置により選択された１つ以上の又は全部のネットワークスライスに対応するベアラの情報、セッション情報、及び／又はフロー情報、例えば、マスタセルグループベアラ（Master  cell  group  bearer）、２次セルグループベアラ（Secondary  cell  group  bearer）、分割ベアラ（Split  bearer）のようなベアラ種別、ベアラ識別子、ベアラに対応するサービス品質に関する情報、トンネルの終点、セッション識別子、フロー識別子、セッションに対応するサービス品質に関する情報、フローに対応するサービス品質に関する情報、ベアラレベル、セッションレベル、又はフローレベルのセキュリティに関する情報、例えば暗号化機能有効化オプション、ここで暗号化機能の位置はサービングアクセスネットワーク装置及び／又はコアネットワーク内にあり、ヘッダ圧縮機能有効化オプション、ここでヘッダ圧縮機能の位置はサービングアクセスネットワーク装置及び／又はコアネットワーク内にあり、又は完全性保護有効化オプション、ここで完全性保護の位置はサービングアクセスネットワーク装置及び／又はコアネットワーク内にあり；又は、
サービングＰＬＭＮ、等価ＰＬＭＮ、禁止若しくは許可追跡領域のリスト、禁止若しくは許可セルのリスト、等を含む、ハンドオーバ制限リスト；を含む。
【０１８７】
９０２．サービングアクセスネットワーク装置は、目標ネットワーク装置に対しサービングアクセスネットワーク装置変更要求を開始する。
任意で、データ転送アドレス、２次ＲＡＮ装置のセキュリティ鍵、等が提供される必要のあるとき、サービングアクセスネットワーク装置は、目標ネットワーク装置に端末装置の現在のコンテキスト情報及び端末装置のために目標ネットワーク装置により準備された無線リソース割り当てを変更するよう要求するために、目標ネットワーク装置に対してＲＡＮ装置変更要求を開始する。さらに、メッセージは、限定ではないが：
端末装置にサービスしているネットワークスライスの識別情報；
端末装置がアクセスすることを許可されるネットワークスライスの識別情報；
端末装置にサービスしているネットワークスライスのサービス領域識別情報；
端末装置により要求されたネットワークスライスのサービス領域識別情報；
ネットワークスライスサービス領域識別子に対応する優先度を示すために使用されるネットワークスライスサービス領域優先度、例えばネットワークスライスサービス領域Ａの優先度はネットワークスライスサービス領域Ｂの優先度より高い；
２次セルグループベアラが変更される必要があるか否かを示すために使用される２次セルグループベアラ変更指示；
端末装置によりサポートされる暗号化アルゴリズム及び完全性保護アルゴリズムを示すために使用される、端末装置のセキュリティ能力；
端末装置に対しデータ暗号化を実行するために目標ネットワーク装置により使用される、目標ネットワーク装置のセキュリティ鍵；
アップリンク統合最大ビットレート及びダウンリンク統合最大ビットレートを含む、目標ネットワーク装置に適用可能な端末装置の統合最大ビットレート；
確立、変更、又は解放される必要のある及び端末装置により選択された１つ以上の又は全部のネットワークスライスに対応するベアラの情報、セッション情報、及び／又はフロー情報、例えば、マスタセルグループベアラ（Master  cell  group  bearer）、２次セルグループベアラ（Secondary  cell  group  bearer）、分割ベアラ（Split  bearer）のようなベアラ種別、ベアラ識別子、ベアラに対応するサービス品質に関する情報、トンネルの終点、セッション識別子、フロー識別子、セッションに対応するサービス品質に関する情報、フローに対応するサービス品質に関する情報、ベアラレベル、セッションレベル、又はフローレベルのセキュリティに関する情報、例えば暗号化機能有効化オプション、ここで暗号化の位置はＲＡＮ装置及び／又はＣＮ装置内にあり、ヘッダ圧縮機能有効化オプション、ここでヘッダ圧縮機能の位置はＲＡＮ装置及び／又はＣＮ装置内にあり、又は完全性保護有効化オプション、ここで完全性保護の位置はＲＡＮ装置及び／又はＣＮ装置内にあり；又は、
サービングＰＬＭＮ、等価ＰＬＭＮ、禁止若しくは許可追跡領域のリスト、禁止若しくは許可セルのリスト、等を含む、ハンドオーバ制限リスト；を含む。
【０１８８】
９０３．目標ネットワーク装置は、目標ネットワーク装置がリソースを準備したことを示すために、ノード変更要求肯定応答により、サービングアクセスネットワーク装置に応答する。
【０１８９】
さらに、メッセージは、限定ではないが、以下の情報：許可されないベアラ、セッション及び／又はフローのリスト、及びベアラ、セッション及び／又はフローは端末装置により選択された１つ以上の又は全部のネットワークスライスに対応する；許可されるベアラ、セッション及び／又はフローの情報、及びベアラ、セッション及び／又はフローは端末装置により選択された１つ以上の又は全部のネットワークスライスに対応し、例えば、追加、変更、又は解放される必要のある許可ベアラ情報、許可セッション情報、及び／又は許可フロー情報、ベアラ識別子、セッション識別子、フロー識別子、ベアラレベルＱｏＳ（quality  of  service）パラメータ、又はトンネルの終点；又は、目標ネットワーク装置により生成されたベアラ構成情報を含む、目標ノードからソースノードまでのトランスペアレントコンテナ（container）；を含む。
【０１９０】
さらに、目標ネットワーク装置が任意の受信したネットワークスライス、無線ベアラ、セッション、フローなどをサポートできない、又は処理中にエラーが生じた場合、目標ネットワーク装置は、原因、例えばネットワークスライス、無線ベアラ、セッション、フローなどがサポート可能ではないこと、を伝達する拒否メッセージで応答する。
【０１９１】
９０４．目標ネットワーク装置は、目標ネットワーク装置の変更要求に肯定応答するために、サービングアクセスネットワーク装置にサービングアクセスネットワーク装置変更要求肯定応答により応答する。
【０１９２】
さらに、メッセージは、限定ではないが、以下の情報：許可されないベアラ、セッション及び／又はフローのリスト、及びベアラ、セッション及び／又はフローは端末装置により選択された１つ以上の又は全部のネットワークスライスに対応する；許可されるベアラ、セッション情報及び／又はフローの情報、及びベアラ、セッション及び／又はフローは端末装置により選択された１つ以上の又は全部のネットワークスライスに対応し、例えば、追加、変更、又は解放される必要のある許可ベアラ情報、許可セッション情報、及び／又は許可フロー情報、ベアラ識別子、セッション識別子、フロー識別子、ベアラレベルＱｏＳ（quality  of  service）パラメータ、又はトンネルの終点；又は、目標ネットワーク装置により生成されたベアラ構成情報を含む、目標ノードからソースノードまでのトランスペアレントコンテナ（container）；を含む。
【０１９３】
さらに、目標ネットワーク装置が任意の受信したネットワークスライス、無線ベアラ、セッション、フローなどをサポートできない、又は処理中にエラーが生じた場合、目標ネットワーク装置は、原因、例えばネットワークスライス、無線ベアラ、セッション、フローなどがサポート可能ではないこと、を伝達する拒否メッセージで応答する。
【０１９４】
９０５．サービングアクセスネットワーク装置は、端末装置に対してＲＲＣ接続再構成メッセージを開始する。ここで、ＲＲＣ接続再構成メッセージは、受信したメッセージに基づき無線リソース構成を実行するよう端末装置に指示するために、無線リソース構成情報を伝達する。
【０１９５】
さらに、メッセージは、限定ではないが、以下の情報：目標ネットワーク装置によりサポートされるネットワークスライスサービス領域識別子；目標セル識別子；端末装置の新しい一時識別子；又はベアラ構成、例えばＰＤＣＰ、ＲＬＣ、ＭＡＣ、及び物理層上の構成；を含む。これはここで限定されない。
【０１９６】
９０６．端末装置は、端末装置が無線リソース構成を完了したことを示すために、サービングアクセスネットワーク装置にＲＲＣ接続再構成完了で応答する。
【０１９７】
９０７．サービングアクセスネットワーク装置は、端末装置が無線リソース構成を完了したことを示すために、サービングアクセスネットワーク装置構成完了を目標ネットワーク装置へ送信する。
【０１９８】
以上は、目標セルアクセス方法を記載した。以下は、関連する装置を記載する。図１０を参照すると、図１０は、端末装置１０００を示し：
端末装置の位置するサービングセルに対応するサービングアクセスネットワーク装置からネットワークスライスサービス領域識別子を取得するよう構成される第１取得モジュール１００１であって、ネットワークスライスサービス領域識別子は、ネットワークスライスによりサービスされる領域を示すために使用される、第１取得モジュール１００１と、
ネットワークスライス構成情報及びネットワークスライスサービス領域識別子に基づき目標セルを決定するよう構成される決定モジュール１００２であって、ネットワークスライス構成情報は、ネットワークスライス、領域、及びサービスの間の対応を含む、決定モジュール１００２と、
目標セルにアクセスするよう構成されるアクセスモジュール１００３と、を含む。
【０１９９】
図１１を参照すると、端末装置１０００は：
コアネットワークからネットワークスライス構成情報を取得するよう構成される第２取得モジュール１００４を更に含む。
【０２００】
図１２を参照すると、第２取得モジュール１００４は：
要求メッセージをコアネットワークへ送信するよう構成される第１送信サブモジュール１００４１であって、要求メッセージは、ネットワークスライス構成情報を要求するために使用される、第１送信サブモジュール１００４１と、
コアネットワークからネットワークスライス構成情報を受信するよう構成される受信サブモジュール１００４２と、を含む。
【０２０１】
図１３を参照すると、第１取得モジュール１００１は：
サービングアクセスネットワーク装置へ指示メッセージを送信するよう構成される第２送信サブモジュール１００１１であって、指示メッセージはネットワークスライスの要件を指示するために使用される、第２送信サブモジュール１００１１と、
サービングアクセスネットワーク装置からネットワークスライスサービス領域識別子を取得するよう構成される取得サブモジュール１００１２と、を含む。
【０２０２】
図１４を参照すると、図１４は、サービングアクセスネットワーク装置１４００を示し：
目標ネットワーク装置へ接続指示を送信するよう構成される第１送信モジュール１４０１であって、接続指示は、端末装置に接続するよう目標ネットワーク装置に指示するために使用される、第１送信モジュール１４０１と、
端末装置へ目標ネットワークスライスサービス領域識別子を送信するよう構成される第２送信モジュール１４０２であって、目標ネットワークスライスサービス領域識別子は、目標領域を示すために使用され、その結果、端末装置はネットワークスライス構成情報及びネットワークスライスサービス領域識別子に基づき目標セルを決定し、ネットワークスライス構成情報はネットワークスライス、領域、及びサービスの間の対応を含む、第２送信モジュール１４０２と、を含む。
【０２０３】
図１５を参照すると、第１送信モジュール１４０１は：
目標ネットワーク装置へハンドオーバ要求を送信するよう構成される第１送信サブモジュール１４０１１を含む。ハンドオーバ要求は接続指示を含む。
【０２０４】
第２送信モジュール１４０２は：
端末装置へハンドオーバコマンドを送信するよう構成される第２送信サブモジュール１４０２１であって、ハンドオーバコマンドは、目標ネットワークスライスサービス領域識別子を含み、ハンドオーバコマンドは、目標ネットワーク装置へハンドオーバするよう端末装置に指示する、第２送信サブモジュール１４０２１を含む。
【０２０５】
図１６を参照すると、第１送信モジュール１４０１は：
目標ネットワーク装置へノード追加要求を送信するよう構成される第３送信サブモジュール１４０１２であって、ノード追加要求は接続指示を含む、第３送信サブモジュール１４０１２を含む。
【０２０６】
第２送信モジュール１４０２は：
端末装置へ接続再構成メッセージを送信するよう構成される第４送信サブモジュール１４０２２であって、接続再構成メッセージは、目標ネットワークスライスサービス領域識別子を含み、接続再構成メッセージは、目標ネットワーク装置に接続するよう端末装置に指示するために使用される、第４送信サブモジュール１４０２２を含む。
【０２０７】
図１７を参照すると、サービングアクセスネットワーク装置１４００は：
目標ネットワーク装置へノード変更要求を送信するよう構成される第３送信モジュール１４０３であって、ノード変更要求は、端末装置のために目標ネットワーク装置の無線リソース構成を変更するよう目標ネットワーク装置に指示するために使用される、第３送信モジュール１４０３と、
端末装置から接続再構成メッセージを受信するよう構成される第１受信モジュール１４０４であって、接続再構成メッセージは無線リソース構成を含む、第１受信モジュール１４０４と、を更に含む。
【０２０８】
図１８を参照すると、サービングアクセスネットワーク装置１４００は：
目標ネットワーク装置により送信されたノード変更要求を受信するよう構成される第２受信モジュール１４０５、を更に含む。
【０２０９】
以上は、本願の実施形態をモジュール機能エンティティの観点から記載した。以下は、本願の実施形態をハードウェア処理の観点から記載する。図１９を参照すると、本願の一実施形態は、端末装置１９００を提供し：
通信機１９０１と、メモリ１９０２と、プロセッサ１９０３と、バス１９０４と、を含む。
【０２１０】
通信機１９０１、メモリ１９０２及びプロセッサ１９０３は、バス１９０４を用いて接続される。
【０２１１】
通信機１９０１は、ネットワークスライスサービス領域識別子を、端末装置の位置するサービングセルに対応するサービングアクセスネットワーク装置から取得するよう構成される。ここで、ネットワークスライスサービス領域識別子は、ネットワークスライスによりサービスされる領域を示すために使用される。
【０２１２】
通信機１９０１は、プロセッサ１９０３と標準通信サブシステムとの間の通信インタフェース（英語：communication  interface）を含んでよい。
【０２１３】
通信機１９０１は、ＥＩＡ−ＲＳ−２３２Ｃ規格の通信インタフェース、つまりデータ端末装置（Data  Terminal  Equipment、ＤＴＥ）とデータ回線終端装置（data  circuit−terminating  equipment、ＤＣＥ）との間のシリアルバイナリデータ交換インタフェース技術標準の通信インタフェースを更に含んでよく、又はＲＳ−４８５プロトコルの通信インタフェースを含んでよい。これはここで限定されない。
【０２１４】
プロセッサ１９０３は、ネットワークスライス構成情報及びネットワークスライスサービス領域識別子に基づき、目標セルを決定し、ここでネットワークスライス構成情報はネットワークスライス、領域、及びサービスの間の対応を含み、及び目標セルにアクセスする、よう構成される。
【０２１５】
プロセッサ１９０３は、中央処理ユニット（central  processing  unit、ＣＰＵ）、ネットワークプロセッサ（network  processor、ＮＰ）、又はＣＰＵとＮＰとの組合せであってよい。
【０２１６】
プロセッサ１９０３は、ハードウェアチップを更に含んでよい。ハードウェアチップは、特定用途向け集積回路（application−specific  integrated  circuit、ＡＳＩＣ）、プログラマブル論理素子（programmable  logic  device、ＰＬＤ）、又はそれらの組合せであってよい。ＰＬＤは、複合プログラマブル論理素子（complex  programmable  logic  device、ＣＰＬＤ）、フィールドプログラマブルゲートアレイ（field−programmable  gate  array、ＦＰＧＡ）、汎用アレイロジック（generic  array  logic、ＧＡＬ）、又はそれらの任意の組合せであってよい。
【０２１７】
メモリ１９０２は、プログラム、目標領域、目標サービス、及びネットワークスライス構成情報を格納するよう構成される。
【０２１８】
メモリ１９０２は、揮発性メモリ（volatile  memory）、例えばランダムアクセスメモリ（random  access  memory、ＲＡＭ）を含んでよい。メモリ４０２は、不揮発性メモリ（non−volatile  memory）、例えばフラッシュメモリ（flash  memory）、ハードディスク（hard  disk  drive、ＨＤＤ）、又はソリッドステートドライブ（solid−state  drive、ＳＳＤ）も含んでよい。メモリ４０３は、前述のメモリの組み合わせを更に含んでよい。これはここで限定されない。
【０２１９】
任意で、メモリ１９０２は、プログラム命令を格納するよう更に構成されてよい。プロセッサ４０３は、図２に示した実施形態におけるステップ又は任意の実装を実行するために、メモリ１９０２に格納されたプログラム命令を呼び出してよい。その結果、端末装置１９００は前述の方法における機能を実施する。
【０２２０】
図２０を参照すると、図２０は、サービングアクセスネットワーク装置２０００を示し：
通信機２００１と、メモリ２００２と、プロセッサ２００３と、バス２００４と、を含む。
【０２２１】
通信機２００１、メモリ２００２及びプロセッサは、バスを用いて接続される。
【０２２２】
通信機２００１は、目標ネットワーク装置へ接続指示を送信し、ここで接続指示は端末装置に接続するよう目標ネットワーク装置に指示するために使用され、端末装置へ目標ネットワークスライスサービス領域識別子を送信し、ここで目標ネットワークスライスサービス領域識別子は目標領域を示すために使用され、その結果、端末装置はネットワークスライス構成情報及びネットワークスライスサービス領域識別子に基づき目標セルを決定し、ここでネットワークスライス構成情報はネットワークスライス、領域、及びサービスの間の対応を含む、よう構成される。
【０２２３】
通信機２００１は、プロセッサ２００３と標準通信サブシステムとの間の通信インタフェース（英語：communication  interface）を含んでよい。
【０２２４】
通信機２００１は、ＥＩＡ−ＲＳ−２３２Ｃ規格の通信インタフェース、つまりデータ端末装置（Data  Terminal  Equipment、ＤＴＥ）とデータ回線終端装置（data  circuit−terminating  equipment、ＤＣＥ）との間のシリアルバイナリデータ交換インタフェース技術標準の通信インタフェースを更に含んでよく、又はＲＳ−４８５プロトコルの通信インタフェースを含んでよい。これはここで限定されない。
【０２２５】
メモリ２００２は、プログラム、目標領域、目標サービス、及びネットワークスライス構成情報を格納するよう構成される。
【０２２６】
メモリ２００２は、揮発性メモリ（volatile  memory）、例えばランダムアクセスメモリ（random  access  memory、ＲＡＭ）を含んでよい。メモリ４０２は、不揮発性メモリ（non−volatile  memory）、例えばフラッシュメモリ（flash  memory）、ハードディスク（hard  disk  drive、ＨＤＤ）、又はソリッドステートドライブ（solid−state  drive、ＳＳＤ）も含んでよい。メモリ４０３は、前述のメモリの組み合わせを更に含んでよい。これはここで限定されない。
【０２２７】
任意で、メモリ２００２は、プログラム命令を格納するよう更に構成されてよい。プロセッサ４０３は、図２に示した実施形態におけるステップ又は任意の実装を実行するために、メモリ２００２に格納されたプログラム命令を呼び出してよい。その結果、サービングアクセスネットワーク装置２０００は前述の方法における機能を実施する。
【０２２８】
プロセッサ２００３は、サービングアクセスネットワーク装置の機能を実行するよう構成される。
【０２２９】
プロセッサ２００３は、中央処理ユニット（central  processing  unit、ＣＰＵ）、ネットワークプロセッサ（network  processor、ＮＰ）、又はＣＰＵとＮＰとの組合せであってよい。
【０２３０】
プロセッサ２００３は、ハードウェアチップを更に含んでよい。ハードウェアチップは、特定用途向け集積回路（application−specific  integrated  circuit、ＡＳＩＣ）、プログラマブル論理素子（programmable  logic  device、ＰＬＤ）、又はそれらの組合せであってよい。ＰＬＤは、複合プログラマブル論理素子（complex  programmable  logic  device、ＣＰＬＤ）、フィールドプログラマブルゲートアレイ（field−programmable  gate  array、ＦＰＧＡ）、汎用アレイロジック（generic  array  logic、ＧＡＬ）、又はそれらの任意の組合せであってよい。
【０２３１】
便宜上及び簡潔な説明のために、前述のシステム、装置、及びユニットの詳細な動作処理については、前述の方法の実施形態における対応する処理を参照してよく、詳細はここで記載されないことが、当業者により明らかに理解され得る。
【０２３２】
本願において提供される幾つかの実施形態では、開示のシステム、機器、及び方法は他の方法で実装されてよいことが理解されるべきである。例えば、記載した機器の実施形態は単なる一例である。例えば、ユニットの分割は、単なる論理的機能の分割であり、実際の実装では他の分割であってよい。例えば、複数のユニット又はコンポーネントは、別のシステムに結合又は統合されてよい。或いは、幾つかの機能は無視されるか又は実行されなくてよい。さらに、表示した又は議論した相互結合又は直接結合又は通信接続は、幾つかのインタフェースを使用することにより実装されてよい。機器又はユニット間の間接結合又は通信接続は、電子的、機械的又は他の形式で実装されてよい。
【０２３３】
別個の部分として記載されたユニットは、物理的に別個であってよく又はそうでなくてよい。また、ユニットとして表示された部分は、物理的なユニットであってよく又はそうでなくてよく、１カ所に置かれてよく或いは複数のネットワークユニットに分散されてよい。一部又は全部のユニットは、実施形態のソリューションの目的を達成するために実際の必要に応じて選択されてよい。
【０２３４】
前述の実施形態の全部又は一部は、ソフトウェア、ハードウェア、ファームウェア又はそれらの任意の組み合わせを用いて実施されてよい。実施形態を実施するためにソフトウェアが使用されるとき、実施形態は、完全に又は部分的にコンピュータプログラムプロダクトの形式で実施されてよい。
【０２３５】
コンピュータプログラムプロダクトは、１又は複数のコンピュータ命令を含む。コンピュータプログラム命令はコンピュータ上にロードされ実行されると、本発明の実施形態による手順又は機能が全部又は部分的に生成される。コンピュータは、汎用コンピュータ、専用コンピュータ、コンピュータネットワーク、又は別のプログラマブル機器であってよい。コンピュータ命令は、コンピュータ可読記憶媒体に格納されてよく、又はあるコンピュータ可読記憶媒体から別のコンピュータ可読記憶媒体へ送信されてよい。例えば、コンピュータ命令は、ウェブサイト、コンピュータ、サーバ、又はデータセンタから、別のウェブサイト、コンピュータ、サーバ、又はデータセンタへ、有線（例えば同軸ケーブル、光ファイバ、又はデジタル加入者線（ＤＳＬ））又は無線（例えば赤外線、無線、マイクロ波）方式で送信されてよい。コンピュータ可読記憶媒体は、コンピュータ、又は１又は複数の使用可能媒体を統合するサーバ若しくはデータセンタのようなデータ記憶装置によりアクセス可能な任意の使用可能媒体であってよい。使用可能媒体は、磁気媒体（例えば、フロッピーディスク、ハードディスク、又は磁気テープ）、光媒体（例えば、ＤＶＤ）、半導体媒体（例えば、ソリッドステートディスクSolid  State  Disk（ＳＳＤ））、等であってよい。
【０２３６】
纏めると、前述の実施形態は、本願を限定するのではなく、単に本願の技術的ソリューションを説明することを目的とする。本願は、前述の実施形態を参照して詳細に説明されたが、当業者は、本願の実施形態の技術的ソリューションの範囲から逸脱することなく、彼らが前述の実施形態で説明した技術的ソリューションに変更を行い、又はそれら実施形態の幾つかの技術的特徴を等価に代替できることを理解する。
【図１】
0006920443.tif 000002
【図２】
0006920443.tif 000003
【図２．１】
0006920443.tif 000004
【図３】
0006920443.tif 000005
【図４】
0006920443.tif 000006
【図５】
0006920443.tif 000007
【図６】
0006920443.tif 000008
【図７】
0006920443.tif 000009
【図８】
0006920443.tif 000010
【図９】
0006920443.tif 000011
【図１０】
0006920443.tif 000012
【図１１】
0006920443.tif 000013
【図１２】
0006920443.tif 000014
【図１３】
0006920443.tif 000015
【図１４】
0006920443.tif 000016
【図１５】
0006920443.tif 000017
【図１６】
0006920443.tif 000018
【図１７】
0006920443.tif 000019
【図１８】
0006920443.tif 000020
【図１９】
0006920443.tif 000021
【図２０】
0006920443.tif 000022